(57)【要約】既存のプリペイドカードや、クーポン、回数券の場合、レストランが競争力を高め、他のレストランとの差別化を図るためには、クーポンの割引率を高めたり、加算額を増やすしか手段がなく、魅力的なクーポンを提供することが、提供する商品の内容を向上させることに直結していなかった。そこで、レストラン側が競争力を高めるために、提供する商品の内容を向上させることに直結させるシステムとして、顧客が各レストランで提供される商品を比較して利用するレストランを選択する仕組みであって、かつ、レストラン間の競争を活発にさせるために、顧客のもつ１つのクーポンが複数のレストランで注文可能なような仕組みをもち、さらに、初めての来店客を増やすような仕組みをも兼ね備えるように構成されたシステムを提供する。【選択図】図２
2019215882.tif 000002
【特許請求の範囲】
【請求項１】
一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、
インターネットを介して購入するパスポート識別情報の選択を受け付ける選択受付部と、
ユーザ識別情報と関連付けてユーザ属性情報を保持するユーザ属性情報保持部と、
ユーザ識別情報と関連付けてそのユーザが購入のために選択したパスポート識別情報を保持するユーザ所有情報保持部と、
ユーザ識別情報と関連付けられているパスポート識別情報毎に現時点での注文可能回数であるパスポート注文可能情報を保持するパスポート注文可能情報保持部と、
パスポート注文可能情報を送信するパスポート注文可能情報送信部と、
ユーザ識別情報とパスポート識別情報と、利用した又は利用するレストラン識別情報、注文した又は注文する回数を含むパスポート注文情報を取得するパスポート注文情報取得部と、
取得したパスポート注文情報を用いてパスポート注文可能情報を更新するパスポート注文可能情報更新部と、
を有するパスポート管理装置と、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得部と、
取得したパスポート注文情報を送信するパスポート注文情報送信部と、
を有するレストラン端末装置と、
一以上のパスポート識別情報とユーザ識別情報とを関連付けて保持するパスポート識別情報保持部と、
利用のために保持されているパスポート識別情報の選択を受け付けるパスポート識別情報選択部と、
パスポート注文可能情報を受信するパスポート注文可能情報受信部と、
保持しているパスポート情報の一部（全部も含む）又は／及び、受信したパスポート注文可能情報を表示するパスポート注文可能情報表示部と、
これから食するために、又はすでに食したことによる処理をするために、保持しているユーザ識別情報と関連付けてパスポート識別情報を出力する所有情報出力部と、を有するパスポート利用端末装置と、からなる個人属性別レストランパスポートシステム。
【請求項２】
ユーザがパスポートを購入のためにパスポート管理装置にてパスポートを選択する際に、そのユーザのユーザ識別情報と関連付けて保持されているユーザ属性情報と、パスポート識別情報に関連付けられている典型的個人属性と、に基づいてパスポート情報保持部の中から選択受付部にて選択を受け付け可能なパスポート識別情報を抽出するように制御するユーザ属性情報依存選択受付制御部をさらに有する請求項１に記載の個人属性別レストランパスポートシステム。
【請求項３】
パスポート管理装置は、パスポート情報の更新（新規登録を含む。以下同じ）のためにメニュー情報を受け付けるメニュー情報受付部と、受付けたメニュー情報をパスポート情報の更新のために保持するメニュー情報保持部と、保持されているメニュー情報を利用してパスポート情報を更新するルールを保持するパスポート更新ルール保持部と、保持されているメニュー情報と保持されているルールとに基づいてパスポート情報を更新するパスポート情報更新部と、をさらに有し、
レストラン端末装置は、
レストラン識別情報を保持するレストラン識別情報保持部と、
更新のためにレストラン識別情報、メニュー識別情報及びメニュー識別情報で識別されるメニューのメニュー属性情報を関連付けた情報であるメニュー情報を取得するメニュー情報取得部と、
取得したメニュー情報を更新のために送信するメニュー情報送信部と、
をさらに有する請求項１又は請求項２に記載の個人属性別レストランパスポートシステム。
【請求項４】
典型的個人属性
選択受付部は、典型的個人属性を示して選択を受け付ける典型的個人属性選択受付手段を有する請求項１又は請求項３に記載の個人属性別レストランパスポートシステム。
【請求項５】
ユーザ属性情報保持部は、ユーザ識別情報と同一ユーザに関連付けられている複数のユーザ属性情報間のそのユーザにとっての優先度を付加したユーザ属性情報である複数の優先度付ユーザ属性情報と関連付けて保持する優先度付ユーザ属性情報保持手段を有し、
パスポート情報保持部は、パスポート情報として、典型的個人属性が、他の典型的個人属性と比較した場合の優先度を付加した典型的個人属性である優先度付典型的個人属性であるパスポート情報を保持する優先度付パスポート情報保持手段を有し、
ユーザ属性情報依存選択受付制御部は、優先度付ユーザ属性情報と優先度付きパスポート情報とに基づいて選択受付可能な優先度付パスポート識別情報を抽出するように制御する優先度付ユーザ属性情報依存選択受付制御手段を有する請求項２又は請求項２に従属する請求項３又は請求項２に従属する請求項４に記載の個人属性別レストランパスポートシステム。
【請求項６】
ユーザ属性情報保持部は、ユーザ属性情報として、ユーザのパスポートを介したレストランの利用の多さ等に応じてユーザを識別するユーザクラス格付情報をパスポート識別情報毎に保持するユーザクラス格付保持手段を有し、パスポート注文可能情報保持部は、パスポート識別情報毎のユーザクラス格付け別に注文可能レストラン、消費可能メニュー及びメニューの消費可能回数であるパスポート注文可能情報を保持するユーザクラス別パスポート注文可能情報保持手段を有する、
請求項１から請求項５のいずれか一に記載の個人属性別レストランパスポートシステム。
【請求項７】
一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、
ユーザ識別情報と関連付けてユーザ属性情報を保持するユーザ属性情報保持部と、
ユーザ識別情報と関連付けてそのユーザが購入のために選択したパスポート識別情報を保持するユーザ所有情報保持部と、
ユーザ識別情報と関連付けられているパスポート識別情報毎に現時点での注文可能回数であるパスポート注文可能情報を保持するパスポート注文可能情報保持部と、
を有するパスポート管理装置と、
レストラン端末装置と、
一以上のパスポート識別情報とユーザ識別情報とを関連付けて保持するパスポート識別情報保持部と、
を有するパスポート利用端末装置、
とからなる個人属性別レストランパスポートシステムの動作方法であって、
インターネットを介して購入するパスポート識別情報の選択を受け付ける選択受付ステップと、
パスポート注文可能情報を送信するパスポート注文可能情報送信ステップと、
ユーザ識別情報とパスポート識別情報と、利用した又は利用するレストラン識別情報、注文した又は注文する回数を含むパスポート注文情報を取得するパスポート注文情報取得ステップと、
取得したパスポート注文情報を用いてパスポート注文可能情報を更新するパスポート注文可能情報更新ステップと、
を有するパスポート管理装置と、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、
取得したパスポート注文情報を送信するパスポート注文情報送信ステップと、
を有するレストラン端末装置と、
利用のために保持されているパスポート識別情報の選択を受け付けるパスポート識別情報選択ステップと、
パスポート注文可能情報を受信するパスポート注文可能情報受信ステップと、
保持しているパスポート情報の一部（全部も含む）又は／及び、受信したパスポート注文可能情報を表示するパスポート注文可能情報表示ステップと、
これから食するために、又はすでに食したことによる処理をするために、保持しているユーザ識別情報と関連付けてパスポート識別情報を出力する所有情報出力ステップと、
を有するパスポート利用端末装置と、
からなる個人属性別レストランパスポートシステムの動作方法。
【請求項８】
一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、
ユーザ識別情報と関連付けてユーザ属性情報を保持するユーザ属性情報保持部と、
ユーザ識別情報と関連付けてそのユーザが購入のために選択したパスポート識別情報を保持するユーザ所有情報保持部と、
ユーザ識別情報と関連付けられているパスポート識別情報毎に現時点での注文可能回数であるパスポート注文可能情報を保持するパスポート注文可能情報保持部と、
を有するパスポート管理装置と、
レストラン端末装置と、
一以上のパスポート識別情報とユーザ識別情報とを関連付けて保持するパスポート識別情報保持部と、
を有するパスポート利用端末装置、
とからなる個人属性別レストランパスポートシステムの動作プログラムであって、
インターネットを介して購入するパスポート識別情報の選択を受け付ける選択受付ステップと、
パスポート注文可能情報を送信するパスポート注文可能情報送信ステップと、
ユーザ識別情報とパスポート識別情報と、利用した又は利用するレストラン識別情報、注文した又は注文する回数を含むパスポート注文情報を取得するパスポート注文情報取得ステップと、
取得したパスポート注文情報を用いてパスポート注文可能情報を更新するパスポート注文可能情報更新ステップと、
を有するパスポート管理装置と、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、
取得したパスポート注文情報を送信するパスポート注文情報送信ステップと、
を有するレストラン端末装置と、
利用のために保持されているパスポート識別情報の選択を受け付けるパスポート識別情報選択ステップと、
パスポート注文可能情報を受信するパスポート注文可能情報受信ステップと、
保持しているパスポート情報の一部（全部も含む）又は／及び、受信したパスポート注文可能情報を表示するパスポート注文可能情報表示ステップと、
これから食するために、又はすでに食したことによる処理をするために、保持しているユーザ識別情報と関連付けてパスポート識別情報を出力する所有情報出力ステップと、
を有するパスポート利用端末装置と、
からなる個人属性別レストランパスポートシステムの動作プログラム。
【発明の詳細な説明】
【技術分野】
【０００１】
本発明は、複数のレストラン群において使用することができる、個人の属性に着目したパスポートシステムである、個人属性別レストランパスポートシステムに関する発明である。
【背景技術】
【０００２】
レストランのクーポンやプリペイドカード、割引券というものは従前から存在していた。プリペイドカードであれば、入金額や購入金額の何パーセントかがボーナス分としてプリペイドカードの使用可能金額に加算される。クーポンであれば、数回分の利用回数が加算される。割引券の場合には、注文したメニューの内容を問わずに、一律で何パーセントかの割引か、何円かの割引がされる。
【先行技術文献】
【非特許文献】
【０００３】
【非特許文献１】「ＬＵＮＣＨ  ＰＡＳＳＰＯＲＴ  ５４０円ランチパスポート」  株式会社ほっとこうち東京営業所発行
【発明の概要】
【発明が解決しようとする課題】
【０００４】
既存のプリペイドカードや、クーポン、回数券の場合、レストランが競争力を高め、他のレストランとの差別化を図るためには、クーポンの割引率を高めたり、加算額を増やすしか手段がなかった。したがって、魅力的なクーポンを提供することが、提供する商品の内容を向上させることに直結していなかった。【０００５】
また、プリペイドカードやクーポン、回数券の提供は、リピーターを獲得する上で有効ではあったが、まず最初の一歩としてお店に入店させるという面では、それほど効果を有していなかった。【０００６】
そこで、レストラン側が競争力を高めるために、提供する商品の内容を向上させることに直結させるシステムとして、顧客が各レストランで提供される商品を比較して利用するレストランを選択する仕組みであって、かつ、レストラン間の競争を活発にさせるために、顧客のもつ１つのクーポンが複数のレストランで注文可能なような仕組みをもち、さらに、初めての来店客を増やすような仕組みをも兼ね備えるように構成されたシステムの提供を本発明の課題とする。
【課題を解決するための手段】
【０００７】
上記課題を解決するために本発明において、以下の個人属性別レストランパスポートシステムを提供する。すなわち、第一の発明として、一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、インターネットを介して購入するパスポート識別情報の選択を受け付ける選択受付部と、ユーザ識別情報と関連付けてユーザ属性情報を保持するユーザ属性情報保持部と、ユーザ識別情報と関連付けてそのユーザが購入のために選択したパスポート識別情報を保持するユーザ所有情報保持部と、ユーザ識別情報と関連付けられているパスポート識別情報毎に現時点での注文可能回数であるパスポート注文可能情報を保持するパスポート注文可能情報保持部と、パスポート注文可能情報を送信するパスポート注文可能情報送信部と、ユーザ識別情報とパスポート識別情報と、利用した又は利用するレストラン識別情報、注文した又は注文する回数を含むパスポート注文情報を取得するパスポート注文情報取得部と、取得したパスポート注文情報を用いてパスポート注文可能情報を更新するパスポート注文可能情報更新部と、を有するパスポート管理装置と、一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得部と、取得したパスポート注文情報を送信するパスポート注文情報送信部と、を有するレストラン端末装置と、一以上のパスポート識別情報とユーザ識別情報とを関連付けて保持するパスポート識別情報保持部と、利用のために保持されているパスポート識別情報の選択を受け付けるパスポート識別情報選択部と、パスポート注文可能情報を受信するパスポート注文可能情報受信部と、保持しているパスポート情報の一部（全部も含む）又は／及び、受信したパスポート注文可能情報を表示するパスポート注文可能情報表示部と、これから食するために、又はすでに食したことによる処理をするために、保持しているユーザ識別情報と関連付けてパスポート識別情報を出力する所有情報出力部と、を有するパスポート利用端末装置と、からなる個人属性別レストランパスポートシステムを提供する。【０００８】
次に、第二の発明として、ユーザがパスポートを購入のためにパスポート管理装置にてパスポートを選択する際に、そのユーザのユーザ識別情報と関連付けて保持されているユーザ属性情報と、パスポート識別情報に関連付けられている典型的個人属性と、に基づいてパスポート情報保持部の中から選択受付部にて選択を受け付け可能なパスポート識別情報を抽出するように制御するユーザ属性情報依存選択受付制御部をさらに有する第一の発明に記載の個人属性別レストランパスポートシステムを提供する。【０００９】
次に、第三の発明として、パスポート管理装置は、パスポート情報の更新（新規登録を含む。以下同じ）のためにメニュー情報を受け付けるメニュー情報受付部と、受付けたメニュー情報をパスポート情報の更新のために保持するメニュー情報保持部と、保持されているメニュー情報を利用してパスポート情報を更新するルールを保持するパスポート更新ルール保持部と、保持されているメニュー情報と保持されているルールとに基づいてパスポート情報を更新するパスポート情報更新部と、をさらに有し、レストラン端末装置は、レストラン識別情報を保持するレストラン識別情報保持部と、更新のためにレストラン識別情報、メニュー識別情報及びメニュー識別情報で識別されるメニューのメニュー属性情報を関連付けた情報であるメニュー情報を取得するメニュー情報取得部と、取得したメニュー情報を更新のために送信するメニュー情報送信部と、をさらに有する第一の発明又は第二の発明に記載の個人属性別レストランパスポートシステムを提供する。【００１０】
次に、第四の発明として、選択受付部は、典型的個人属性を示して選択を受け付ける典型的個人属性選択受付手段を有する第一の発明から第三の発明のいずれか一に記載の個人属性別レストランパスポートシステムを提供する。【００１１】
次に、第五の発明として、ユーザ属性情報保持部は、ユーザ識別情報と同一ユーザに関連付けられている複数のユーザ属性情報間のそのユーザにとっての優先度を付加したユーザ属性情報である複数の優先度付ユーザ属性情報と関連付けて保持する優先度付ユーザ属性情報保持手段を有し、パスポート情報保持部は、パスポート情報として、典型的個人属性が、他の典型的個人属性と比較した場合の優先度を付加した典型的個人属性である優先度付典型的個人属性であるパスポート情報を保持する優先度付パスポート情報保持手段を有し、ユーザ属性情報依存選択受付制御部は、優先度付ユーザ属性情報と優先度付きパスポート情報とに基づいて選択受付可能な優先度付パスポート識別情報を抽出するように制御する優先度付ユーザ属性情報依存選択受付制御手段を有する第二の発明又は第二の発明に従属する第三の発明又は第二の発明に従属する第四の発明に記載の個人属性別レストランパスポートシステムを提供する。【００１２】
次に、第六の発明として、ユーザ属性情報保持部は、ユーザ属性情報として、ユーザのパスポートを介したレストランの利用の多さ等に応じてユーザを識別するユーザクラス格付情報をパスポート識別情報毎に保持するユーザクラス格付保持手段を有し、パスポート注文可能情報保持部は、パスポート識別情報毎のユーザクラス格付け別に注文可能レストラン、消費可能メニュー及びメニューの消費可能回数であるパスポート注文可能情報を保持するユーザクラス別パスポート注文可能情報保持手段を有する、第一の発明から第六の発明のいずれか一に記載の個人属性別レストランパスポートシステムを提供する。【００１３】
次に、第七の発明として、一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、ユーザ識別情報と関連付けてユーザ属性情報を保持するユーザ属性情報保持部と、ユーザ識別情報と関連付けてそのユーザが購入のために選択したパスポート識別情報を保持するユーザ所有情報保持部と、ユーザ識別情報と関連付けられているパスポート識別情報毎に現時点での注文可能回数であるパスポート注文可能情報を保持するパスポート注文可能情報保持部と、を有するパスポート管理装置と、レストラン端末装置と、一以上のパスポート識別情報とユーザ識別情報とを関連付けて保持するパスポート識別情報保持部と、を有するパスポート利用端末装置、とからなる個人属性別レストランパスポートシステムの動作方法であって、インターネットを介して購入するパスポート識別情報の選択を受け付ける選択受付ステップと、パスポート注文可能情報を送信するパスポート注文可能情報送信ステップと、ユーザ識別情報とパスポート識別情報と、利用した又は利用するレストラン識別情報、注文した又は注文する回数を含むパスポート注文情報を取得するパスポート注文情報取得ステップと、取得したパスポート注文情報を用いてパスポート注文可能情報を更新するパスポート注文可能情報更新ステップと、を有するパスポート管理装置と、一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、取得したパスポート注文情報を送信するパスポート注文情報送信ステップと、を有するレストラン端末装置と、利用のために保持されているパスポート識別情報の選択を受け付けるパスポート識別情報選択ステップと、パスポート注文可能情報を受信するパスポート注文可能情報受信ステップと、保持しているパスポート情報の一部（全部も含む）又は／及び、受信したパスポート注文可能情報を表示するパスポート注文可能情報表示ステップと、これから食するために、又はすでに食したことによる処理をするために、保持しているユーザ識別情報と関連付けてパスポート識別情報を出力する所有情報出力ステップと、を有するパスポート利用端末装置と、からなる個人属性別レストランパスポートシステムの動作方法を提供する。【００１４】
次に、第八の発明として、一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、ユーザ識別情報と関連付けてユーザ属性情報を保持するユーザ属性情報保持部と、ユーザ識別情報と関連付けてそのユーザが購入のために選択したパスポート識別情報を保持するユーザ所有情報保持部と、ユーザ識別情報と関連付けられているパスポート識別情報毎に現時点での注文可能回数であるパスポート注文可能情報を保持するパスポート注文可能情報保持部と、を有するパスポート管理装置と、レストラン端末装置と、一以上のパスポート識別情報とユーザ識別情報とを関連付けて保持するパスポート識別情報保持部と、を有するパスポート利用端末装置、とからなる個人属性別レストランパスポートシステムの動作プログラムであって、インターネットを介して購入するパスポート識別情報の選択を受け付ける選択受付ステップと、パスポート注文可能情報を送信するパスポート注文可能情報送信ステップと、ユーザ識別情報とパスポート識別情報と、利用した又は利用するレストラン識別情報、注文した又は注文する回数を含むパスポート注文情報を取得するパスポート注文情報取得ステップと、取得したパスポート注文情報を用いてパスポート注文可能情報を更新するパスポート注文可能情報更新ステップと、を有するパスポート管理装置と、一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、取得したパスポート注文情報を送信するパスポート注文情報送信ステップと、を有するレストラン端末装置と、利用のために保持されているパスポート識別情報の選択を受け付けるパスポート識別情報選択ステップと、パスポート注文可能情報を受信するパスポート注文可能情報受信ステップと、保持しているパスポート情報の一部（全部も含む）又は／及び、受信したパスポート注文可能情報を表示するパスポート注文可能情報表示ステップと、これから食するために、又はすでに食したことによる処理をするために、保持しているユーザ識別情報と関連付けてパスポート識別情報を出力する所有情報出力ステップと、を有するパスポート利用端末装置と、からなる個人属性別レストランパスポートシステムの動作プログラムを提供する。
【発明の効果】
【００１５】
本発明により、レストラン側が競争力を高め、レストランが提供する商品の内容を向上させることができる。さらに、顧客の満足度を高めて顧客の囲い込みをすることができ、かつ、新規の顧客を獲得する機会を増加させることができる。
【図面の簡単な説明】
【００１６】
【図１】個人属性別レストランパスポートシステムの概要を示す図
【図２】個人属性別レストランパスポートシステムを構成する各装置の関係を示す図
【図３】実施形態１における、個人属性別レストランパスポートシステムの、パスポート管理装置の構成の一例を示す図
【図４】実施形態１における、個人属性別レストランパスポートシステムの、レストラン端末装置の構成の一例を示す図
【図５】実施形態１における、個人属性別レストランパスポートシステムの、パスポート利用端末装置の構成の一例を示す図
【図６】実施形態１における、個人属性別レストランパスポートシステムの、選択受付部が生成するパスポート選択画面の表示の一例を示す図
【図７】実施形態１における、個人属性別レストランパスポートシステムの、パスポート選択方法の一例を示す図
【図８】実施形態１における、個人属性別レストランパスポートシステムの、レストラン端末装置の一例を示す図
【図９】実施形態１における、個人属性別レストランパスポートシステムの、パスポート利用端末装置に表示されるパスポート注文可能情報の一例を示す図
【図１０】実施形態１における、個人属性別レストランパスポートシステムの、パスポート管理装置のハードウェア構成の一例を示す図
【図１１】実施形態１における、個人属性別レストランパスポートシステムの、レストラン端末装置のハードウェア構成の一例を示す図
【図１２】実施形態１における、個人属性別レストランパスポートシステムの、パスポート利用端末装置のハードウェア構成の一例を示す図
【図１３】実施形態１における、個人属性別レストランパスポートシステムの、処理の流れの一例を示す図
【図１４】実施形態２における、個人属性別レストランパスポートシステムの、パスポート管理装置の構成の一例を示す図
【図１５】実施形態２における、個人属性別レストランパスポートシステムの、ユーザ属性情報依存選択受付制御部に制御された選択受付部がパスポート利用端末装置等に実際に選択可能なパスポートを表示する例示
【図１６】実施形態２における、個人属性別レストランパスポートシステムの、パスポート管理装置のハードウェア構成の一例を示す図
【図１７】実施形態２における、個人属性別レストランパスポートシステムの、処理の流れの一例を示す図
【図１８】実施形態３における、個人属性別レストランパスポートシステムの、パスポート管理装置の構成の一例を示す図
【図１９】実施形態３における、個人属性別レストランパスポートシステムの、レストラン端末装置の構成の一例を示す図
【図２０】実施形態３における、個人属性別レストランパスポートシステムの、パスポート管理装置のハードウェア構成の一例を示す図
【図２１】実施形態３における、個人属性別レストランパスポートシステムの、レストラン端末装置のハードウェア構成の一例を示す図
【図２２】実施形態３における、個人属性別レストランパスポートシステムの、処理の流れの一例を示す図
【図２３】実施形態４における、個人属性別レストランパスポートシステムの、パスポート管理装置の構成の一例を示す図
【図２４】実施形態４における、個人属性別レストランパスポートシステムの、パスポート管理装置のハードウェア構成の一例を示す図
【図２５】実施形態４における、個人属性別レストランパスポートシステムの、処理の流れの一例を示す図
【図２６】実施形態５における、個人属性別レストランパスポートシステムの、パスポート管理装置の構成の一例を示す図
【図２７】実施形態５における、個人属性別レストランパスポートシステムの、優先度付ユーザ属性情報の優先度を変更する方法の一例を示す図
【図２８】実施形態５における、個人属性別レストランパスポートシステムの、優先度付典型的個人属性と関連付けられた優先度付パスポート情報の関連性を概念的に示す図
【図２９】実施形態５における、個人属性別レストランパスポートシステムの、パスポート管理装置のハードウェア構成の一例を示す図
【図３０】実施形態５における、個人属性別レストランパスポートシステムの、処理の流れの一例を示す図
【図３１】実施形態６における、個人属性別レストランパスポートシステムの、パスポート管理装置の構成の一例を示す図
【図３２】実施形態６における、個人属性別レストランパスポートシステムの、パスポート管理装置のハードウェア構成の一例を示す図
【図３３】実施形態６における、個人属性別レストランパスポートシステムの、処理の流れの一例を示す図
【発明を実施するための形態】
【００１７】
以下の発明の実施の形態について、添付図面を用いて説明する。実施形態１は請求項１、実施形態２は請求項２、実施形態３は請求項３、実施形態４は請求項４、実施形態５は請求項５、実施形態６は請求項６、実施形態７は請求項７、実施形態８は請求項８に、それぞれ対応する。なお、本発明は、これらの実施形態に何ら限定されるべきものではなく、その要旨を逸脱しない範囲において、種々なる態様で実施しうる。
【００１８】
＜実施形態１＞
＜実施形態１  概要＞
本実施形態における発明は、パスポートの対象レストランと定められた複数のチェーンの系列の各レストランで提供される所定のメニューの中から、ユーザが好きなレストランの好きなメニューを選択して注文することができるパスポートであり、各パスポートには対象とする典型的個人属性が設定されている、個人属性別レストランパスポートシステムである。
【００１９】
＜個人属性別レストランパスポートシステムの利用方法＞
＜パスポート利用可能レストランについて＞
図１は、個人属性別レストランパスポートシステムの概要を示すイメージ図である。システムを利用するユーザＡはパスポート１を所有し、ユーザＢはパスポート２を所有し、ユーザＣはパスポート６を所有している。それぞれのパスポートには、パスポートを利用することが可能なチェーンが定められている。図では、パスポート１はチェーンＡ、チェーンＢ、チェーンＣにおいてパスポートを利用することが可能である。パスポート２はチェーンＡ、チェーンＤ、チェーンＥにおいてパスポートを利用することが可能である。パスポート６はチェーンＤ、チェーンＥにおいてパスポートを利用することが可能である。ユーザは、所有しているパスポートに設定されているチェーンに属するレストランであればいずれのレストランであってもパスポートを利用して注文することが可能である。
【００２０】
＜パスポート利用注文回数について＞
注文回数は、パスポートに設定されている所定の回数の範囲であれば、チェーン、レストラン、メニューの選択はユーザが自由に決定することが可能である。図では、所定の回数をパスポート１、パスポート２、パスポート６のいずれについても、６回として、ユーザを示す円とパスポート利用可能チェーンを結ぶ点線中に示された数字が、各チェーンのいずれかのレストランを利用した注文回数を示している。例えば、ユーザＡはチェーンＡのいずれかのレストランを２回、チェーンＢのいずれかのレストランを３回、チェーンＣのいずれかのレストランを１回利用して注文している。ユーザＢは、チェーンＡのいずれかのレストランを４回、チェーンＤのいずれかのレストランを０回、チェーンＥのいずれかのレストランを２回利用している。ユーザＣは、チェーンＤのいずれかのレストランを６回、チェーンＥのいずれかのレストランを０回利用している。利用するレストランは、いずれのレストランでもよく、常に異なるレストランを利用することも可能であるし、常に同じレストランを利用することも可能である。
【００２１】
＜メニューについて＞
メニューについて説明する。所定のメニューを設定する際には、予め本システム導入前から提供していた従来メニューを本システムのパスポートで利用可能に割り当てる場合と、本システムの導入に際して本システムのパスポートで利用可能なメニューを作る場合に分けられる。そして後者の場合には、新たに作られたメニューを本システム専用メニューとする場合と、本システムユーザでも本システムを利用しない一般客でも選択可能に設定する二つのケースがある。
【００２２】
まず、従来メニューを本システムのパスポートで選択可能とするケースである。
レストランでは、パスポート注文可能メニューを事前に定める。選択すべきパスポート注文可能メニューは、少なくともパスポート価格をパスポート注文可能回数で割ったパスポート１回分の価格よりも定められた金額分高いメニューであるように選択する。（すなわち、パスポート１回分の価格が７００円であれば、パスポート注文可能メニューの実際の提供価格は８００円の商品である、パスポート１回分の価格が１０００円であれば、パスポート注文可能メニューの実際の提供価格は１３００円である、といったことを意味する）。少なくとも定められた金額分高いメニューを割り当てるようにすればいいので、例えば、システム運営者などの指示によりパスポートユーザが非パスポートユーザより１００円以上のメリットを享受できるようにする場合に、パスポート１回分当たりの単価と同じメニューを非パスポートの顧客に提供する価格の差額が１００円以上となるメニューを選択する。
【００２３】
パスポート注文可能メニューは、専用のメニューとして用意することも可能である。その場合には、パスポートを利用しない顧客に実際に提供していないので、非パスポート利用時の提供価格は想定できない。そこで、その場合にはレストランが実際に非パスポートの顧客に提供するとしたら、いくらの価格を設定するか、という想定提供価格を利用してメニューを設定することになる。すなわち、少なくともパスポート価格をパスポート注文可能回数で割ったパスポート１回分の価格よりも定められた金額分高い価格が想定提供価格となるように、パスポート注文可能な専用メニューを用意することが求められる。また新たに作るメニューを実際に非パスポートの顧客にも提供する場合にはその価格がパスポートの１回分の金額との比較対象となる。
【００２４】
想定提供価格を、レストラン側が設定する場合、あえて高めに設定することで、定められた金額よりも高くなっているように見せかける可能性がある。しかし、レストランがこのような行為を行ったメニューの提供を行えば、ユーザは提供される料理の品質を見抜いてレストランの利用を避けることが可能であるから、本システムが厳格にその点を審査できなかったとしても平気である。しかし、本システム全体の信用を維持するために、提供する専用のメニューに用いられる材料の仕入れ値、一つのメニューの提供に消費される材料の量などを本システムに入力させ、その店の利益率を乗じることで、想定提供価格を算出するような仕組みを持たせることが考えられる。その店の利益率は、その店が実際に提供するメニューに関しても材料の仕入れ値と一つのメニューの提供に消費される材料などを本システムに入力させ、これに加えて実際に提供している価格も入力させて、本システムによって利益率を算出する仕組みにすることが考えられる。メニューによって利益率が異なることが想定されるので、平均利益率をもって想定提供額算出の基準となる利益率とする仕組みや、最低利益率を基準となる利益率とする仕組みや、最高利益率を基準となる利益率とする仕組みなどが考えられる。
【００２５】
ユーザは、選択したパスポートに対応する、注文可能レストランの中から、食べたいと思う商品を提供するレストランで、制限回数内であれば自由にパスポートを利用して飲食の提供を受けることが可能である。そこで、パスポート注文可能レストラン同士で、ユーザの獲得に向けて、パスポート注文可能メニューの内容の向上という競争が行われることになる。さらに、ユーザはパスポート利用回数分、パスポート注文可能レストランのいずれかで食事をすることになるので、レストラン側はユーザの囲い込みをすることが可能となる。レストラン業界では、初めてレストラン利用する客を獲得することがまず困難であり、この点について、大手のチェーンと組となるクーポンに参加することによって、通常のネット広告や呼び込みよりも効果的にユーザの衆目を集めて新規顧客を獲得することが可能となる。
【００２６】
＜本システムに参加するレストランに対する清算方法について＞
本システムに参加するレストランは、（ユーザがその店で利用したパスポートの総回数）×（パスポートの総額÷パスポート利用可能回数−システム管理者の取分）分の支払いを、システム管理者から支払いを受けることが出来る。システム管理者が、本システムに参加するレストランに支払いを行うタイミングは、各月の末に精算を行い翌月に支払う方法が最も典型的な方法として考えられるが、日付毎、週毎、清算日と支払日を指定して毎月行う、など、様々な構成にすることができる。精算のタイミングは、本システムに参加するレストランにおいて共通になるように構成することが想定されるが、パスポートごとに精算のタイミングを異ならせるように構成することも考えられる。パスポートごとに精算のタイミングを異ならせる場合には、清算までの期間が短いものほど、（パスポートの総額÷パスポート利用回数）と、要求される料理の最低提供価格または最低想定提供価格の差額が大きくなる、あるいは、システム管理者の取取分が増すように構成することが考えられる。
【００２７】
＜本システムに参加するレストランに対するシステム参加料＞
さらに、本システムに参加するレストランが、システム管理者にたいして、システム参加料を一定額支払うように構成しておくことが考えられる。システム参加料は、ユーザがパスポートを利用した注文を行ったか行わなかったかにかかわらず発生する。したがって、レストランは、パスポートを利用した注文が行われなければ、収入がないだけではなく、システム利用に関して赤字が出るようになる。本システムに参加するために費用が発生するように構成しておくことで、パスポートを利用して注文するユーザを獲得する必要性をより高めることができ、レストランが提供するパスポートを利用して注文可能なメニューを向上させる効果を高めることができる。
【００２８】
＜実施形態１  発明の構成＞
図２に示すように、実施形態１の個人属性識別レストランパスポートシステム（０２００）は、パスポート管理装置（０２０１）と、レストラン端末装置（０２０２）と、パスポート利用端末装置（０２０３）と、を有する。図に示すように、パスポート管理装置は、少なくともパスポート注文情報をレストラン端末装置から取得し、この情報を利用してパスポート注文可能情報を更新し、少なくともパスポート注文可能情報をパスポート利用端末装置に送信する。そして、パスポート利用端末装置は、少なくとも注文可能情報をパスポート管理装置から取得し、パスポート利用端末装置上にパスポート注文可能情報を表示させ、ユーザにパスポート注文可能情報を視認させる。ユーザは、パスポート利用端末から少なくともユーザＩＤを店舗端末装置に送信し、店舗端末装置はパスポート利用端末装置から取得されたユーザＩＤと、パスポート利用端末あるいは店舗内にある注文受付のための機器等から注文情報を取得し、パスポート注文情報を取得する。店舗端末装置が取得したパスポート注文情報は、パスポート管理装置に送信される。本システムにおいては、各種の情報の取得方法が複数考えられるが、少なくとも図２に示す範囲の情報処理は各装置において行われることが定まっている。
【００２９】
図３は、実施形態１の個人属性別レストランパスポートシステムのパスポート管理装置の構成の一例を示す図である。図に示すように、個人属性別レストランパスポートシステムのパスポート管理装置（０３００）は、パスポート情報保持部（０３０１）、選択受付部（０３０２）、ユーザ属性情報保持部（０３０３）、ユーザ所有情報保持部（０３０４）、パスポート注文可能情報保持部（０３０５）、パスポート注文可能情報送信部（０３０６）、パスポート注文情報取得部（０３０７）、パスポート注文可能情報更新部（０３０８）と、からなる。
図４は、実施形態１の個人属性別レストランパスポートシステムのレストラン端末装置の構成の一例を示す図である。図に示すように、レストラン端末（０４００）は、パスポート注文情報取得部（０４０１）、パスポート注文情報送信部（０４０２）と、からなる。
図５は、実施形態１の個人属性別レストランパスポートシステムのパスポート利用端末装置の構成の一例を示す図である。図に示すように、パスポート利用端末装置（０５００）は、パスポート識別情報保持部（０５０１）、パスポート識別情報選択部（０５０２）、パスポート注文情報受信部（０５０３）、パスポート注文可能情報表示部（０５０４）、所有情報出力部（０５０５）と、からなる。
【００３０】
＜実施形態１  構成の説明＞
＜実施形態１  パスポート管理装置について＞
＜実施形態１  パスポート管理装置：パスポート情報保持部＞
「パスポート情報保持部」は、一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持する。
【００３１】
「一以上の定められたチェーンの複数のレストラン」とは、あるパスポートに参加する複数のチェーンが持つチェーンの系列のレストラン（レストランと同義である。）のことを指す。たとえば図１に示すパスポート１には、Ａ、Ｂ、Ｃのチェーンが一以上の定められたチェーンにあたり、チェーンＡのａ１レストラン（東京駅前レストラン）ａ２レストラン（東京Ｉデパート内レストラン）ａ３レストラン（大阪駅前レストラン）・・・・ａｎレストラン、という、チェーンの系列の全て（全てでない場合でもよい）のレストランが、チェーンの複数のレストランにあたる。したがって、図１のパスポート１では、ユーザはチェーンＡの全ての系列レストラン、チェーンＢの全ての系列レストラン、チェーンＣの全ての系列レストランの中から、パスポートを利用するレストランを選択することができる。
【００３２】
「所定のメニュー」とは、各チェーンが、パスポートを利用して注文できるメニューを指定することができ、その指定されたメニューのことを指す。したがって、例えば図１のパスポート１で、チェーンＡが＜特盛ハンバーグ、特盛から揚げ、ミックスフライ＞を、チェーンＢが＜特盛ナポリタン、特盛カルボナーラ、肉盛りピザ＞を、チェーンＣが＜担々麺とチャーハンのセット、餃子大皿定食、Ｗ油淋鶏定食＞を、パスポート１を利用して注文できるメニューとして指定している場合には、＜特盛ハンバーグ、特盛から揚げ、ミックスフライ＞＜特盛ナポリタン、特盛カルボナーラ、肉盛りピザ＞＜担々麺とチャーハンのセット、餃子大皿定食、Ｗ油淋鶏定食＞が所定のメニューとなる。そして、パスポート２で、同じくチェーンＡが＜おろしポン酢ハンバーグ、鳥肉のソテー、牛たたきサラダ＞を、チェーンＢが＜和風パスタ、生ハムサラダ、サラダピザ＞を、チェーンＣが＜黒酢野菜炒め、酸辣湯麺、中華粥＞を、パスポート２を利用して注文できるメニューとして指定している場合には、＜おろしポン酢ハンバーグ、鳥肉のソテー、生姜焼き＞＜和風パスタ、生ハムサラダ、サラダピザ＞＜黒酢野菜炒め、酸辣湯麺、中華粥＞が所定のメニューとなる。
【００３３】
パスポートには、注文可能な回数が定められており、その回数の中であれば、パスポートを注文可能なレストラン内の、パスポートを利用して注文可能なメニューについて、自由にパスポートを利用して注文することができる。例えば、図１のパスポート１を選択した場合には、チェーンＡのａ１レストランのみで全利用回数分パスポートを利用した注文をするように、特定のレストランのみで利用してもよいし、チェーンＡのレストラン、チェーンＢのレストラン、チェーンＣのレストランの中から自由に選択してパスポートを利用して注文を行ってもよい。また、例えばチェーンＡの特盛ハンバーグのみで全利用回数分パスポートを利用した注文をするように、特定の所定のメニューにのみ利用してもよいし、チェーンＡ、チェーンＢ、チェーンＣが提供する所定のメニューの中から自由に選択してパスポートを利用した注文をしてもよい。定まっていることは、指定されているチェーンに属するレストランの範囲内で、指定された所定メニューの範囲内で、注文可能な回数の範囲内で、注文をするということだけである。
【００３４】
「パスポート情報」には、複数の典型的個人属性ごとに関連付けられた各レストランパスポートを識別するパスポート識別情報、一以上のレストラン識別情報、未使用時注文可能回数、が関連付けられている。この他に、パスポートを利用して注文可能なメニュー識別情報、注文できるメニューを識別するためのメニュー識別情報、メニューの材料、メニューのカロリー、メニューの味つけ、メニューの通常提供時の価格、典型的個人属性と関連付けるための情報、等のメニューに関するメニュー属性情報、によって構成されるメニュー情報を含むように構成することも可能である。
【００３５】
「典型的個人属性」は、個人が持つ社会における属性のことを指す。典型的個人属性としては、例えば、年齢、性別、身分といったものが代表例として考えられる。独身の会社員であれば、その典型的個人属性として、例えば＜男、３０代、会社員＞が考えられる。子供をもった母親であれば、例えば＜女、妻、母親＞が考えられる。
【００３６】
「パスポート識別情報」は、複数の典型的個人属性ごとに関連付けられた各レストランパスポートを識別するための情報である。パスポート識別情報は、例えば、Ａという典型的個人属性について、Ａ１、Ａ２、Ａ３・・・Ａｎのパスポートが選択可能であり、Ｂという典型的個人属性について、Ｂ１、Ｂ２、Ｂ３・・・Ｂｎのパスポートが選択可能である場合に、各パスポート（Ａ１、Ａ２、Ａ３・・・Ａｎ、Ｂ１、Ｂ２、Ｂ３・・・Ｂｎ）のそれぞれに与えられた、それぞれを識別するための情報である。パスポート識別情報は、パスポートごとに与えられており、数字や記号、あるいはこれらの組み合わせによって構成されている。また、各パスポートは、典型的個人属性と関連付けられていることから、＜典型的個人属性を示す数字又は記号＞と＜パスポートの内容を示す数字又は記号＞を組み合わせることによって構成することが好ましい。
【００３７】
「レストラン識別情報」とは、チェーン又は／及びチェーンの系列の各レストランを識別するための情報である。チェーンを識別するための情報とは、本システムに参加するチェーンＡ、チェーンＢ、チェーンＣという各チェーンを識別するための情報である。例えば、チェーンＡであれば、ａ１レストラン、ａ２レストラン、ａ３レストラン・・・ａｎレストランというチェーンＡの系列の複数のレストランがあり、チェーンＢであれば、ｂ１レストラン、ｂ２レストラン、ｂ３レストラン・・・ｂｎレストランというチェーンＢの系列の複数のレストランがある。レストラン識別情報は、各チェーンの各レストラン（ａ１レストラン、ａ２レストラン、ａ３レストラン・・・ａｎレストラン、ｂ１レストラン、ｂ２レストラン、ｂ３レストラン・・・ｂｎレストラン）のそれぞれに与えられたそれぞれを識別するための情報である。レストラン識別情報は、数字や記号、あるいはこれらの組み合わせによって構成されている。所属するチェーン店の系列であることを識別するための情報としても利用することが考えられるので、＜チェーンを示す数字又は記号（チェーンに識別番号が与えられている場合には、チェーンに与えられた識別番号）＞と＜レストランを示す数字又は記号＞を組み合わせることによって構成することが好ましい。
【００３８】
「未使用時注文可能回数」は、未使用時にパスポートを利用して注文可能な回数である。すなわち、パスポートを購入した当所に設定されている、初期設定の注文可能回数である。パスポートを利用することによって、パスポート注文可能回数は減少していき、未使用時注文可能な回数と注文した回数が同数になったとき、パスポート注文可能回数０となり、パスポートを利用した注文を行うことができなくなる。その後、所定金額を管理者に支払うことによって使用できなくなったパスポートを再度未使用時の状態に戻すことができるように構成することも可能である。ただし、パスポート注文可能回数が０に至ってない時点で再度未使用時の状態に戻すことができるようには構成しない。パスポートには利用期限を定める場合があり、パスポートごとにタイマーで利用可能期限が設定されるからである。例えば一つのパスポートは、２か月以内に使い切るように利用可能期限を設定することが考えられる。２か月の期限が到来した場合には、例えばパスポートの注文可能回数が０になっていなくともそのパスポートの注文可能回数が０になるように構成することが考えられる。このように構成することによってユーザ側にもリスク負担させてシステム側の値引きリスクを緩和させることができる。
【００３９】
＜実施形態１  パスポート管理装置：選択受付部＞
「選択受付部」は、インターネットを介して購入するパスポート識別情報の選択を受け付ける。本実施形態におけるパスポートは、携帯端末、タブレット端末、ウェアラブル端末、等に代表される通信端末であるパスポート利用端末装置を用いて利用することを想定している。選択受付部は、本システムが提供するすべての典型的個人属性と関連付けられたパスポートの選択受付が可能である。図６は、選択受付部の実際の表示の一例である。パスポート識別情報を補助する情報として、そのパスポートが関連付けられている典型的個人属性（０６０１）、パスポートが対象としているユーザ層やパスポート利用を想定するシチュエーション等のパスポートの内容を示す簡単な説明（０６０２）、パスポートを利用することが可能なレストラン（０６０３）等が表示されるよう構成することが考えられる。この他に、注文可能なメニューの画像が表示されるように構成することも考えられる。関連付けられている典型的個人属性（例えば、サラリーマン、ＯＬ、ランチ、女子会、家族等）が表示されていることによって、ユーザがパスポートを利用する場面や立場（ユーザ属性情報）に合致するパスポートを選択しやすくなる。例えば、昼食にパスポートを利用したいサラリーマンであれば、典型的個人属性としてサラリーマン、ランチと関連付けられているパスポートの中から選択するとよい。あるいは、休日に家族と外食をする際に利用したい母親の場合には、典型的個人属性として家族と関連付けられているパスポートの中から選択するとよい。あるいは、友人との集まりでパスポートを利用したいＯＬであれば、典型的個人属性としてＯＬ、ランチ、女子会と関連付けられているパスポートの中から選択するとよい。
【００４０】
典型的個人属性と関連付けられたパスポートは、複数存在していることから、選択受付部を実際に表示する場合には、図７に示すように、階層的に示されていることが好ましい。図７ａに示すように、第一の階層として、典型的個人属性が表示され、典型的個人属性の中からユーザが自分の属性に合致すると思うものを選択すると、図７ｂに示すように、次の階層として、選択した典型的個人属性と関連付けられたパスポーとの一覧が表示される。パスポートの一覧画面を表示する階層の前に、図７ｃに示すように、さらにそのパスポートの性質（例えば、ボリューム、さっぱり、バランス、スイーツ、贅沢、女子会、朝食用、昼食用、夕食用、飲み会用等のパスポートを利用するシチュエーション）を選択するための階層が含まれていてもよい。階層表示にすることで、選択可能なパスポートの総数が少なくなる。その結果、一画面に表示するパスポートの量を少なくしたとしても、パスポートの選択を行うユーザの利便性が損なわれなくなるので、パスポートの選択受付画面でパスポート識別情報を補助する情報として表示する内容を増やすことが可能となる。図７では、図６に比してパスポート識別情報を補助する情報の内容が詳細になっている。
【００４１】
パスポートの一覧を表示する画面でパスポートの説明部分を選択することで、各パスポートでの注文可能メニューの一覧を見ることができるように構成しておくことが考えられる。あるいは、対象レストランの名称を選択することで、リンクされている対象レストランの専用ページに移動して、選択した対象レストランにおいて選択しているパスポートで注文可能なメニューの一覧が見られように構成しておくことが考えられる。具体的にどういったメニューを注文可能であるかわかった方が、ユーザは安心するし、パスポートを使ってみたいという好奇心を刺激されることになるからである。具体的な注文可能メニューの説明（写真や、素材、お勧めポイント、食レポ、評価、実際の提供価格）は顧客への直接の宣伝行為、勧誘行為であり、どういった説明を行うかは、各レストランに任せることが好ましい。
【００４２】
選択受付部で受け付けるパスポート識別情報は、複数であってもよい。したがって、ユーザは一度に複数のパスポート識別情報を選択することが可能である。また、同一のパスポートを重複選択することも、可能であるように構成することが好ましい。各パスポートには、注文可能回数が与えられており、頻繁に利用することが想定される場合には、１つのパスポートでは回数が不十分である場合がありえるためである。したがって、選択受付部では、パスポート識別情報で示されるパスポートを何回選択するかという、パスポート選択回数も含めた選択情報の受付を行うように構成しておくことが好ましい。
【００４３】
パスポート識別情報の選択は、選択と回数の二つの情報によって構成する上記方法の他に、選択回数のみによって受け付ける方法が考えられる。すべてのパスポートのパスポート識別情報が、それぞれ何回選択されたかの回数を受け付けて、選択された回数分の個数のパスポートをユーザが購入する。したがって、受付回数が０回のパスポートは０個購入されたことになり（つまり、購入していないことと同じである）、受付回数１回のパスポートは１個購入されたことになり、受付回数が２回のパスポートは２個購入されたことになり、受付回数Ｎ回のパスポートはＮ個購入されたことになる。
【００４４】
パスポート識別情報の選択を決定することによって、ユーザはパスポート識別情報を選択したパスポートの購入をすることになるので、購入金額の合計を、＜注文合計金額＞等の表記で示すことが好ましい。例えば図６では、各パスポートの下部に、選択入力欄（０６０４）と、選択回数入力欄（０６０５）があり、ユーザが購入を希望するパスポートの下に選択をする場合にはチェックを行い、購入したいパスポートの枚数分選択回数を入力することになる。選択に応じて、注文合計金額（０６０６）が加算され、選択内容を入力した後、注文合計金額を確認したユーザが画面下部中央の「購入を決定する」（０６０７）を選択することで、パスポート識別情報の選択が完了し、選択受付部によって選択が受け付けられるという構成が考えられる。
【００４５】
＜実施形態１  パスポート管理装置：ユーザ属性情報保持部＞
「ユーザ属性情報保持部」は、ユーザ識別情報と関連付けてユーザ属性情報を保持する。「ユーザ識別情報」は、ユーザを識別するための情報であり、ユーザが本件個人属性別レストランパスポートシステムの利用のための個人情報等の登録を行う際に特別に定める、あるいは本件システムから与えられる。識別情報としては、ユーザのユーザＩＤ、メールアドレス、パスポート利用端末装置に与えられた固体識別番号、等が考えられる。「ユーザ属性情報」は、ユーザに該当する典型的個人属性又は／及び一般的な個人属性情報のことである。例えば、ユーザが、＜男、３０代、会社員、営業職、社会人サッカーチームに所属、既婚、子持ち＞であればこれがユーザ属性情報として保持される場合もあるし、その典型的個人属性として、＜若手サラリーマン、営業職、スポーツマン、夫、父親等＞が保持される場合も考えられる。例えば、＜女、４０代、会社員、事務職、未婚＞であれば、＜中堅ＯＬ、事務職、未婚＞のいずれか又は両者が保持されると考えられる。ある人は、複数の典型的個人属性を有しているので、この中の全ての典型的個人属性がユーザ個人属性に含まれるように構成することが可能である。
【００４６】
ところで心理学用語でペルソナという言葉がある。これは人の外的表面を指す言葉である。この外的表面は同一人物であっても時と場合により変化するものである。例えば一人の男性が会社では管理職であり頼もしく強い性格で知られていても、同一人物がガールフレンドの前では優しく柔和な性格と見られる場合がある。このように同一人物が時と場合によって自身の外的表面を変化させることは通常よくあることであり、その変化に応じて行動態様も変わってくる。本件システムでは、このような点に着目してパスポートで利用できるレストランをパスポートの種類ごとにコーディネイトするように構成する。
【００４７】
実施形態１の本システムでは、ユーザ属性情報はテキスト自由形式で入力するように構成してもよいし、予め定められた選択肢から選択させることによって入力するように構成しもよい。ユーザ属性情報には、氏名、年齢、住所、性別、電話番号、Eメールアドレス、ＳＮＳのユーザ識別情報、顔写真などの一以上が含まれているように構成される。
ユーザが選択できる典型的個人属性は、一つでもいいし、複数でもよいように構成することが可能である。さらに、複数の選択をする場合には、後述するように主たる典型的個人属性、従たる典型的個人属性、のように個人属性のランク付けを行わせるように構成してもよい。
【００４８】
本システムを利用すると、ユーザ属性情報と購入されるパスポートの関連性、ユーザ属性情報と各パスポートを用いて利用されるメニューの関連性、ユーザ属性情報とパスポートが利用されるレストランの関連性、ユーザ属性情報とパスポートが利用される時間帯、等のユーザ個人属性と関連付けられた様々な消費傾向のビックデータを蓄積することが可能となる。メニューを提供する側は、ユーザ属性情報ごとの消費傾向を分析することで、パスポートのターゲットとなる客層の把握や、客層に対する最適なパスポートの内容、メニューを知ることができる。メニューを提供する側は、パスポートに併せてターゲットとなる客層が限定されればそれだけニーズに合ったメニューの開発や、サービスの向上を行いやすくなる。さらに、ある限定的なパスポート利用環境にした方が、ターゲットとなる客層は明確に区分されことから、ユーザ属性情報が一人のユーザに無数に与えられるよりは、一人のユーザに１つあるいは３つ程度までとすることが、店側の創意工夫を容易にし、提供されるサービスの向上につながる。さらに、ターゲットが絞られていれば、そこに合致するメニューに絞って提供すればよくなるので、提供されるメニューがユーザにとってより魅力的なものになる傾向があり、ユーザの新規パスポート利用を活発化させることが可能となる。ユーザがパスポートを活発に利用することで、新規のレストランに挑戦する機会が増え、レストラン側の新規顧客獲得への寄与度も高まる。
【００４９】
＜実施形態１  パスポート管理装置：ユーザ所有情報保持部＞
「ユーザ所有情報保持部」は、ユーザ識別情報と関連付けてそのユーザが購入のために選択したパスポート識別情報を保持する。選択受付部によって取得された、ユーザが選択したパスポート識別情報の選択情報と、ユーザ属性情報保持部に保持されたユーザ識別情報とを関連付けて保持する。ユーザが購入して現在所有しているパスポートの情報を保持している。
【００５０】
＜実施形態１  パスポート管理装置：パスポート注文可能情報保持部＞
「パスポート注文可能情報保持部」は、ユーザ識別情報と関連付けられているパスポート識別情報毎に現時点での注文可能回数であるパスポート注文可能情報を保持する。ユーザがパスポートを利用して注文可能メニューの注文を行うと、注文数に応じてパスポート注文可能回数が減少する。パスポート注文可能情報は、ユーザの選択したパスポートとユーザがパスポートを利用した回数によって定まる。
【００５１】
＜実施形態１  パスポート管理装置：パスポート注文可能情報送信部＞
「パスポート注文可能情報送信部」は、パスポート注文可能情報を送信する。パスポート注文可能情報送信部は、ユーザのパスポート利用端末装置からのパスポート注文可能情報の送信リクエストに応じて、ユーザにパスポート注文可能情報を送信する。送信されるパスポート注文可能情報には、パスポートごとの注文可能回数が含まれる。
さらに、パスポート注文可能情報送信部が、パスポート情報の全部又は一部を店舗端末装置又は／及びパスポート利用端末装置に送信するように構成しても構わない。
【００５２】
また、ユーザやレストランがユーザの注文前の注文可能回数を確認できるように、ユーザのパスポート利用端末装置又は／及びレストラン端末装置に送信されるように構成する。パスポート注文可能情報を取得した装置では、今回の注文を行う前の段階で、残り何回注文可能であるかを確認することができるので、注文可能回数をもとに来店するレストランを選択したり、来店したユーザが注文可能回数を超えて注文を行はないように注意喚起をする、といったことが可能となる。
【００５３】
＜実施形態１  パスポート管理装置：パスポート注文情報取得部＞
「パスポート注文情報取得部」は、ユーザ識別情報とパスポート識別情報と、利用した又は利用するレストラン識別情報、注文した又は注文する回数を含むパスポート注文情報を取得する。パスポート注文情報は、レストラン端末装置から送られてくる。パスポート注文情報は、ユーザ識別情報とパスポート識別情報と、利用した又は利用するレストラン識別情報、注文した又は注文する回数をそれぞれ関連付けた情報である。取得されたパスポート注文情報は、パスポート注文可能情報更新部に送信される。
【００５４】
「利用した又は利用するレストラン識別情報」は、ユーザが今回の注文で利用したレストランのレストラン識別情報、又は、ユーザがこれから今回の注文を行うために利用するであろうレストランのレストラン識別情報である。ユーザが今回の注文で利用したレストラン識別情報は、ユーザがパスポートを利用して注文を行ったときにレストラン端末装置から送信されて、パスポート管理装置のパスポート注文情報取得部によって取得される。ユーザが今回の注文で利用するであろうレストラン識別情報は、ユーザがパスポート利用端末装置を所持してパスポート注文可能レストランに入店したことがＧＰＳの位置情報や、レストラン端末装置との通信等によって確認された場合や、ユーザがパスポート利用端末装置からパスポート注文可能レストランを予約した場合に、レストラン端末装置からパスポート管理装置に送信される、又は／及び、パスポート利用端末装置を所持したユーザがパスポート注文可能レストランに入店したことを店員からの入力あるいはユーザの所持するパスポート利用端末装置との通信等によってレストラン端末装置が確認した場合に、レストラン端末装置からパスポート管理装置に送信されるように構成することが考えられる。
さらに、レストラン端末装置に加えてパスポート利用端末装置からも、レストラン識別情報が送信されて、パスポート管理装置のパスポート注文情報取得部によって取得されるように構成することも可能である。
【００５５】
「注文した又は注文する回数」は、ユーザがパスポートを利用して注文した回数、又は、ユーザがパスポートを利用して注文するであろう回数を示す。注文した又は注文する回数は、注文した又は注文するメニュー数と同義である。あるいは、パスポート利用可能回数の消費回数を指す。以下の説明においても同様である。ユーザがパスポートを利用した注文回数が、ユーザが実際にパスポート注文可能レストランで注文を行ったときに、注文を受け取ったレストラン端末装置によって取得され、パスポート管理装置に送信される。あるいは、ユーザが食事を終えて、会計をした段階において、レストラン端末装置が注文回数を取得して、パスポート管理装置に送信するという構成も考えられる。さらに、ユーザがパスポートを利用して注文を行ったときに、店舗端末装置だけでなく、ユーザが注文に利用したパスポート利用端末装置においても注文した回数を取得して、パスポート管理装置に送信するように構成することも可能である。
ユーザがパスポートを利用してこれから注文するであろう回数は、ユーザが事前に予約をしたメニューから、ユーザの予約を受け付けたレストラン端末装置が取得してパスポート管理装置に送信される構成が考えられる。さらに、店舗端末装置だけでなく、予約を行ったユーザのパスポート利用端末装置においても、これから注文するであろう回数を取得してパスポート管理装置に送信するように構成することも可能である。
【００５６】
＜実施形態１  パスポート管理装置：パスポート注文可能情報更新部＞
「パスポート注文可能情報更新部」は、取得したパスポート注文情報を用いてパスポート注文可能情報を更新する。取得したパスポート注文可能情報に含まれる、現時点での注文可能回数から、取得したパスポート注文情報に含まれる今回注文する又は注文した回数を差し引くことによって、今回の注文後のパスポート注文可能回数である更新パスポート注文可能情報が取得される。更新パスポート注文可能情報は、現在の注文可能回数として、パスポート注文可能情報保持部に送信される。
【００５７】
＜実施形態１  レストラン端末装置について＞
レストラン端末装置は、図８に示すようにチェーンの各レストランに設置される装置一つ一つ（０８０１）であってもよいし、各レストランのレストラン端末のレストラン端末装置を総括して管理するチェーンのレストラン端末装置（０８０２）であってもよいし、これら両方を含むものであってもよい。
【００５８】
＜実施形態１  レストラン端末装置：パスポート注文情報取得部＞
「パスポート注文情報取得部」は、一のレストラン内にてこれから食する情報として、又はすでに食した情報として、「ユーザ識別情報と、パスポート識別情報と、レストラン識別情報と、注文回数と」、を関連付けた情報であるパスポート注文情報を取得する。これから食する情報とは、ユーザがこれからパスポート注文可能メニューを注文するための情報であることを示す。すでに食した情報とは、ユーザがパスポートを利用して注文したことを示す情報である。「ユーザ識別情報と、レストラン識別情報、パスポート識別情報」は、パスポート管理装置の説明において記載した通りである。注文回数は、今回の食事のために、又は既に行われた食事のための注文回数である。注文回数は、今回のユーザのパスポートの使用回数となる。レストラン端末装置のパスポート注文情報取得部では、ユーザ識別情報とレストラン識別情報と、パスポート識別情報と、注文回数と関連付けられたパスポート注文情報が取得される。取得されたパスポート注文情報は、パスポート注文情報送信部に送信される。
【００５９】
ここで取得されるパスポート注文情報に含まれる情報はすべてが同一の出所源である必要はない。例えばレストラン識別情報は、パスポート利用端末装置から取得されるものでなく、レストラン端末装置内に保存されている情報であってもよい。さらに後述のとおり注文回数などは、レストラン端末装置にウエイトレスが入力して取得される情報でも、パスポート利用端末装置から取得される情報でもよい。
【００６０】
ここで、パスポート注文情報として、これから食する情報として、又はすでに食した情報として、とするのは、レストランでの注文は１回の注文で複数のメニューを注文する場合があり、ウエイトレスなどが携帯することが考えられる入力端末（レストラン端末装置と通信で情報交換することを想定）では、一度に複数のメニュー選択の入力があることを想定しての表現である。つまり、メニューの注文ごとにこのパスポート注文情報を取得させるのでなく、複数の注文を１回の通信で処理することを念頭においての表現である。つまり、これから食する情報として、又はすでに食した情報として、とは、１回のユーザからのオーダーで入力されることを表現したものである。１回のオーダーで一つのメニューしか注文しない場合も当然に含まれる表現である。ウエイトレスのユーザからの注文とりは、パスポート利用端末装置からユーザ識別情報と関連付けたパスポート識別情報のみを取得して、メニューの入力は口頭でユーザから伝えられた注文を入力する方法と、パスポート利用端末装置からユーザ識別情報と関連付けたパスポート識別情報とさらにメニューを識別する情報や、その数量情報を取得する方法との二種類が考えられる。これはどちらでもよい。
【００６１】
取得したユーザ識別情報から、来店した客がユーザであるかどうかを判断することもできる。パスポート注文情報に含まれる「ユーザ識別情報、パスポート識別情報、レストラン識別情報、注文回数」の中で、ユーザ識別情報、パスポート識別情報、注文回数に関してはユーザが残りどれだけパスポートを利用可能かという情報をパスポート管理装置にて更新するために利用される。ユーザ識別情報の他にパスポート識別情報が含まれているのは、一のユーザが複数のパスポートを利用可能だからである。例えば、一人の女性がＯＬ用とママ友用の二つのパスポートを利用する場合には、注文に基づくパスポートの利用可能回数の減算をユーザ識別情報だけではできないからである。
【００６２】
レストラン識別情報は、このシステムの運用者からこのシステムを利用しているレストランチェーン事業者に対するマーケティング情報として利用可能である。それは、全体のレストランや、同じパスポートで利用可能なレストランの中で各レストランの利用頻度、利用形態などについて情報提供可能とするために利用される。本発明の特徴の一つは、各レストランチェーンや各レストランどうしが互いに競い合ってサービスやメニューの質を向上できるように仕組むことであり、そのためにどのレストランがどの程度利用されているかの情報を取得し、整理するためにこのレストラン識別情報が利用される。
【００６３】
＜実施形態１  レストラン端末装置：パスポート注文情報送信部＞
「パスポート注文情報送信部」は、パスポート注文情報取得部で取得されたパスポート注文情報を送信する。ユーザが今回の注文に利用したパスポート利用端末装置又は／及び、ユーザのパスポート注文可能情報を管理するパスポート管理装置に送信されるように構成することが考えられる。
【００６４】
＜実施形態１  パスポート利用端末装置＞
パスポート利用端末装置は、スマートフォン、携帯電話、タブレット、ウェアラブル端末などに代表される、通信機能付き携帯機器である。ユーザは、レストランに持参してパスポート利用端末に表示される情報を店員に見せる、あるいはレストラン端末等のレストランに設置された接触型認証機器にパスポート利用端末を接触させる、あるいはパスポート利用端末に表示されるバーコード等のコードをレストラン端末等のレストランに設置された読み取り機器に読み取らせる、等の方法によってパスポートユーザであること、所持するパスポートの種類、利用可能なメニューといったパスポートを利用して注文を行うことが可能な身分であることを認証することになる。そのため、パスポート利用端末装置は、持ち運び可能な形態であることが望ましい。持ち運びが可能であり、認証システムとして利用することが可能なプログラムを所持させることが可能であれば、どのような通信機能付き携帯機器であってもかまわない。例えば、通信可能な装置と関連付けられてデータを保存することが可能な機器や物であってもよい。
【００６５】
パスポート利用端末装置は、レストラン端末装置とパスポート管理装置と通信する機能を有するベースとなるプログラムであって、プログラムサーバからダウンロードして展開されるプログラム部分と、そのプログラムが利用するデータとから構成される。またパスポート利用端末装置は、カード様の物であってもよい。この場合にディスプレイが必要な場合には携帯端末等に出力する（請求項上の表現では表示）でもよい。さらにカード様の物である場合には貸出に便利である。携帯端末を例えば子供に渡してこのシステムを利用させる場合には、携帯端末の他の機能の誤用や悪用も排除できないが、機能がこのシステムのサービスに限定されている場合には気軽に貸し出すことができるからである。このようなカードの属性としては家族で共用できることから家族という属性と対応させたメニューを備えたパスポートとすることが考えられる。
【００６６】
＜実施形態１  パスポート利用端末装置：パスポート識別情報保持部＞
「パスポート識別情報保持部」は、一以上のパスポート識別情報とユーザ識別情報とを関連付けて保持する。パスポート識別情報と、ユーザ識別情報の内容は、パスポート管理装置ですでに説明した。ユーザは、複数のパスポート識別情報の選択を行うことが可能であるから、パスポート利用端末装置は一以上のパスポート識別情報を保持することが可能である。ユーザ識別情報と関連付けることによって、そのユーザの購入したパスポートを識別するためのパスポート識別情報となる。
【００６７】
＜実施形態１  パスポート利用端末装置：パスポート識別情報選択部＞
「パスポート識別情報選択部」は、利用のために保持されているパスポート識別情報の選択を受け付ける。ユーザは複数のパスポートを購入している場合がある。そして、図１に示すように、あるパスポートの注文可能レストランは、別のパスポートの注文可能レストランであることが考えられる。従って一のユーザがあるレストランを利用しようとする場合に、いずれかのパスポートを選択しなければ、どのパスポートを消費しようとするのかも不明となる。そこで、複数のパスポートを利用する場合には、どのパスポートを利用するつもりなのか、ユーザに選択させる必要がある。パスポート識別情報選択部は、パスポート利用端末装置に保持されたパスポート識別情報の中から、注文に利用しようと考えているパスポートの選択を受け付ける。
【００６８】
＜実施形態１  パスポート利用端末装置：パスポート注文可能情報受信部＞
「パスポート注文可能情報受信部」は、パスポート注文可能情報を受信する。前述のとおりパスポート注文可能情報は、現時点での注文可能回数を含むものである。パスポート注文可能情報が受信するパスポート注文可能情報は、パスポート管理装置から送信されるものと、レストラン端末から送信されるものの、いずれの場合も考えられる。ユーザは、ユーザがレストランに入店する前の、その日にパスポートを利用して食事をするかを判断する際に、パスポート利用端末装置を用いてパスポート注文可能回数を確認することが想定される。したがって、パスポート注文可能情報受信部がパスポート注文可能情報を受信するタイミングは、必ずしもパスポートの実際の利用と近接しているわけではなく、情報を受信する場所も、レストラン端末装置の設置されたレストランの近くとは限らない。したがって、パスポート注文可能情報受信部が受信するパスポート注文可能情報は、パスポート管理装置から取得される情報であることが好ましい。なお、この情報に利用可能なレストランを示すレストラン識別情報、各レストランでパスポートで注文可能なメニューの情報（料理名称、料理の盛り付け外観、各料理の食品成分、各料理のカロリー数、各料理に利用されている食材、各料理のパスポートを利用しないで提供される場合の定価、パスポートのみで提供される場合の想定価格、各料理の人気度、各料理の重量、各料理の味、各料理のユーザによる感想、料理を注文後に提供されるまでの平均的な待ち時間）などが含まれていてもよい。
【００６９】
＜実施形態１  パスポート利用端末装置：パスポート注文可能情報表示部＞
「パスポート注文可能情報表示部」は、保持しているパスポート情報の一部（全部も含む）又は／及び、受信したパスポート注文可能情報を表示する。パスポート利用端末装置は、パスポート管理装置のパスポート注文可能情報送信部から送信されたパスポート注文可能情報を受信して、パスポート利用端末装置のパスポート注文可能情報表示部に、受信したパスポート注文可能情報を表示する。
【００７０】
図９は、実際のパスポート利用端末装置での、パスポート注文可能表示部の表示の一例である。ユーザが所持しているパスポートの名称と、残り回数を表示する。残り回数は、コメントとしてわかりやすく、ユーザの残りの注文回数を表示するように構成することが考えられる。残りの注文回数が１回以上の場合には、図に示すように、あなたはあとＮ回注文できます、というように注文可能回数を伝え、残りの注文回数が０回の場合には、あなたはこのパスポートでは注文できません、というようにパスポートを利用して注文できないことを伝えるようなコメントが考えられる。パスポート注文可能情報表示部から、追加のパスポート購入が可能なように構成することが考えられる。同一の画面内にパスポート識別情報受付部を併せて表示する方法がある。あるいは、パスポート注文可能情報として表示されたパスポートの名称や残り回数を選択することで、そのパスポートの選択受付画面に移動するように構成することも可能である。あるいは、パスポート注文可能情報表示画面に、パスポートを追加購入する、などのメニューを表示しておき、追加購入のメニューが選択されると、パスポート識別情報受付部の画面に移動するように構成することが考えられる。
【００７１】
＜実施形態１  パスポート利用端末装置：所有情報出力部＞
「所有情報出力部」は、これから食するために、又はすでに食したことによる処理をするために、保持しているユーザ識別情報と関連付けてパスポート識別情報を出力する。「これから食するために、又はすでに食した」の内容については、レストラン端末装置の説明ですでに説明した。パスポート利用端末装置は、これから食する情報として、ユーザ識別情報とこれに関連付けられているパスポート識別情報をレストラン端末装置又は／及びパスポート管理装置に出力する。取得されたユーザ識別とパスポート識別情報から、ユーザのパスポート注文可能情報及びパスポート情報が取得され、ユーザがパスポートで注文可能なレストランにおいて注文可能な回数の範囲内で注文を行おうとしているか否かを判断することが可能となる。さらに、すでに食した情報としてユーザ識別情報とこれに関連付けられているパスポート識別情報をレストラン端末装置又は／及びパスポート管理装置に出力する。取得されたユーザ識別情報とパスポート識別情報から、ユーザがどのレストランで何回注文を行っているかの情報を取得することができ、レストランのパスポート注文実績、ユーザのパスポート注文履歴等の情報収集を行うことが可能となる。
【００７２】
前述のとおり、ウエイトレスのユーザからの注文とりは、二種類が考えられるので、必要最低限パスポート利用端末装置からメニュー注文の際に出力すべき情報はユーザ識別情報と関連付けたパスポート識別情報である。これらにさらにメニューを識別する情報や、その数量情報を所有情報に関連付けて又は所有情報に含ませて出力することを妨げるものではない。
【００７３】
＜実施形態１  ハードウェア構成＞
＜実施形態１  ハードウェア構成：パスポート管理装置＞
図１０は実施形態１のパスポート管理装置のハードウェア構成を示す図である。この図にあるように本発明は、基本的に汎用コンピュータとプログラム、各種デバイスで構成することが可能である。コンピュータの動作は基本的に不揮発性メモリに記録されているプログラムを主メモリにロードして、主メモリとＣＰＵと各種デバイスとで処理を実行していく形態をとる。デバイスとの通信は、バス線と繋がったインターフェイスを介して行われる。
この図にあるように実施形態１のパスポート管理装置のハードウェア構成も不揮発性メモリに、パスポート情報保持プログラム、選択受付プログラム、ユーザ属性情報保持プログラム、ユーザ所有情報保持プログラム、パスポート注文可能情報保持プログラム、パスポート注文可能情報送信プログラム、パスポート注文情報取得プログラム、パスポート注文可能情報更新プログラムと、が保持されており、一連のプログラムの実行命令に基づいてこれらのプログラムが実行される。なお、データとしては、典型的個人属性、パスポート識別情報、レストラン識別情報、未使用時注文可能回数、パスポート情報、選択情報、ユーザ識別情報、ユーザ属性情報、パスポート注文可能情報、利用した又は利用するレストラン識別情報、注文した又は注文する回数、更新パスポート注文可能情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００７４】
＜実施形態１  ハードウェア構成：レストラン端末装置＞
図１１は実施形態１のレストラン端末装置のハードウェア構成を示す図である。この図にあるように実施形態１のレストラン端末装置のハードウェア構成も不揮発性メモリに、パスポート注文情報取得プログラムとパスポート注文情報送信プログラムと、が保持されており、一連のプログラムの実行命令に基づいてこれらのプログラムが実行される。なお、データとしては、ユーザ識別情報、パスポート識別情報、レストラン識別情報、注文回数、パスポート注文情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００７５】
＜実施形態１  ハードウェア構成：パスポート利用端末装置＞
図１２は実施形態１のパスポート利用端末装置のハードウェア構成を示す図である。この図にあるように実施形態１のパスポート利用端末装置のハードウェア構成も不揮発性メモリに、パスポート識別情報保持プログラム、パスポート識別情報選択プログラム、パスポート注文可能情報受信プログラム、パスポート注文可能情報表示プログラム、所有情報出力プログラム、が保持されており、一連のプログラムの実行命令に基づいてこれらのプログラムが実行される。なお、データとしては、パスポート識別情報、ユーザ識別情報、選択情報、パスポート注文可能情報、パスポート情報、これから食するために又はすでに食した情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００７６】
＜実施形態１  処理の流れ＞
図１３は、実施形態１における個人属性別レストランパスポートシステムにおける最も基本的な処理の流れを示す図である。図に示すように、パスポート利用端末装置からユーザが初期パスポート選択を行いパスポートを購入する、初期パスポート選択ステップ（１３０１）と、パスポート利用端末からの初期パスポート選択の指示をパスポート管理装置が受け付ける、選択受付ステップ（１３０２）と、パスポート管理装置にユーザ所有情報を保持するための、ユーザ所有情報記録ステップ（１３０３）と、パスポート管理装置が記録したユーザ所有情報に基づきパスポート利用端末装置がパスポート識別情報を保持する、パスポート識別情報記録ステップ（１３０４）と、パスポート管理装置が記録したユーザ所有情報記録に基づきパスポート注文可能情報を保持するための、パスポート注文可能情報記録ステップ（１３０５）と、パスポート管理装置が保持しているパスポート注文可能情報をパスポート利用端末装置に送信するための、パスポート注文可能情報送信ステップ（１３０６）と、パスポート管理装置から送信されたパスポート注文可能情報をパスポート利用端末装置が受信するための、パスポート注文可能情報受信ステップ（１３０７）と、パスポート利用端末装置が受信したパスポート注文可能情報をユーザに視認可能に表示するための、パスポート注文可能情報表示ステップ（１３０８）と、ユーザが注文に利用しようと考えているパスポートを選択するための、パスポート識別情報選択ステップ（１３０９）と、パスポート利用端末装置からレストラン端末装置に所有情報を出力するための、所有情報出力ステップ（１３１０）と、レストラン端末がパスポート利用端末装置からの所有情報出力を受信した後にパスポート注文情報を取得するための、パスポート注文情報取得ステップ（１３１１）と、レストラン端末装置から注文情報をパスポート管理装置に送信するための、注文情報送信ステップ（１３１２）と、パスポート管理装置がレストラン端末装置から送信されたパスポート注文情報を取得する、パスポート注文情報取得ステップ（１３１３）と、パスポート管理装置がレストラン端末装置から受信したパスポート注文情報を基にパスポート注文可能情報を更新する、パスポート注文可能情報更新ステップ（１３１４）と、ユーザの操作が終了したかを判断する注文終了判断ステップ（１３１５）と、ユーザの操作が終了していなかった場合に、新たにパスポートの購入を行うかを判断する追加購入判断ステップ（１３１６）と、レストラン端末装置において、ユーザの注文が終了したかを判断する、注文終了判断ステップ（１３１７）と、からなる。
【００７７】
＜実施形態２  概要＞
本実施形態における発明は、実施形態１の発明に加えて、ユーザが購入するパスポートの選択を行う選択受付部において選択可能なパスポートが、ユーザ属性情報と一致するパスポートに制限されることを特徴とするものである。
【００７８】
＜実施形態２  発明の構成＞
図２に示すように、本実施形態２の個人属性識別レストランパスポートシステムは、パスポート管理装置と、レストラン端末装置と、パスポート利用端末装置と、を有する。図１４は、本実施形態２の個人属性別レストランパスポートシステムのパスポート管理装置の構成の一例を示す図である。図に示すように、個人属性別レストランパスポートシステムのパスポート管理装置は、パスポート情報保持部（１４０１）、選択受付部（１４０２）、ユーザ属性情報保持部（１４０３）、ユーザ属性情報依存選択受付制御部（１４０４）ユーザ所有情報保持部（１４０５）、パスポート注文可能情報保持部（１４０６）、パスポート注文可能情報送信部（１４０７）、パスポート注文情報取得部（１４０８）、パスポート注文可能情報更新部（１４０９）と、からなる。パスポート管理装置及びレストラン端末装置の構成は、実施形態１と同様である。以下では、実施形態１と共通の構成についての説明は省略し、本実施形態に特徴的な構成についてのみ説明する。
【００７９】
＜実施形態２  構成の説明＞
＜実施形態２で用いる用語の説明  典型的個人属性とユーザ属性情報＞
典型的個人属性はパスポート識別情報と関連付けられており、パスポートは、関連付けられている典型的個人属性が示す想定人物が利用するに適した内容となっている。特にパスポートを利用可能なレストランが想定人物が利用するに適しているレストランの属性（メニュー、雰囲気、価格帯、立地、客層、営業時間、混雑時間帯、座席（カウンター、テーブル、大型テーブル）、椅子、特殊設備（回転ずし、中華料理回転テーブル、たたみ、板の間）、個室有無、喫煙可不可）を有するレストランから構成されている。
【００８０】
典型的個人属性の例としては、性別、家族との続柄（父親、母親、子供、祖父、祖母等）、職業（公務員、教員、研究員、サラリーマン、ＯＬ、会社役員、医者、歯医者、士業、主婦、主夫）、自営業種（農業従事者、水産業従事者、酪農業従事者、畜産業従事者、林業従事者、小売業者、卸売業者）、接客業（飲食業、理容美容業、店頭販売員）、学生、無職、定年退職者などである。
【００８１】
ユーザ識別情報と関連付けられているユーザ属性情報は、この典型的個人属性そのものであるか、又は典型的個人属性に関連付けられている情報である。
一般には典型的個人属性とユーザ属性情報とは、前者が後者に対して上位概念となる関係に立つ。例えば典型的個人属性が男性、父親、公務員に対して、ユーザ属性情報は、男性、３７歳、子供２人、奈良市役所職員、である。前者の男性は後者の男性に該当し、前者の父親は後者の子供二人が該当し、前者の公務員が後者の奈良市役所職員に該当する。これらの関連付けは手作業で関連付けられてもよいし、データベース上に保存されているデータを用いて関連付けられたものであってもよい。
【００８２】
例えばユーザ属性情報は、このシステムを最初に利用する際に登録されるのが一般である。この際にユーザ属性を典型的個人属性と関連付けられた項目を選択することによって入力するように構成してもよい。例えばプルダウンメニューからユーザ属性を選択するように構成することで予め関連付けられている典型的個人属性との関係が明らかになり、本システムで利用される。
【００８３】
＜実施形態２  ユーザ属性情報依存選択受付制御部＞
「ユーザ属性情依存報選択受付制御部」は、ユーザがパスポートを購入のためにパスポート管理装置にてパスポートを選択する際に、そのユーザのユーザ識別情報と関連付けて保持されているユーザ属性情報と、パスポート識別情報に関連付けられている典型的個人属性と、基づいてパスポート情報保持部の中から選択受付部にて選択を受け付け可能なパスポート識別情報を抽出するように制御する。本実施形態では、ユーザ属性情報保持部が保持するユーザ属性情報と合致する典型的個人属性が関連付けられたパスポートのみがユーザに利用可能なパスポートとなる。ユーザ属性情報依存選択受付制御部は、ユーザ属性情報において利用可能なパスポートのみを選択受付部で選択可能なパスポートとして表示するように、選択受付部を制御する。
ユーザ属性情報依存選択受付制御部に制御された選択受付部では、ユーザの典型的個人属性に与えられている複数のパスポートの複数のパスポート識別情報の中から、ユーザが購入を希望するパスポートの識別情報の選択を受け付けることによって、選択した識別情報によって識別されるパスポートの購入が行われる。
【００８４】
図１５は、ユーザ属性情報依存選択受付制御部に制御された選択受付部が、パスポート利用端末装置等（パスポート利用端末装置以外に汎用性パソコン等が考えられる）に実際に表示された状態の例示である。図に示すように、例えば、ユーザＡ（１５０１）について、典型的個人属性がサラリーマン（１５０２）である場合には、典型的個人属性に関連付けられているパスポートは、パスポート１（１５０３）、パスポート２（１５０４）、パスポート３（１５０５）となる。選択受付部では、Ａの典型的個人属性に関連付けられたパスポートの中からＡが利用を望むパスポートの識別情報を選択すると、パスポート管理装置の選択受付部がユーザの選択を受け付ける。図では、パスポート３を選択（１５０６）している。また、パスポート識別情報を何回選択するかについて、Ａはパスポート３のパスポート識別情報を１回選択している（１５０７）。また、例えば、ユーザＢ（１５０８）について、典型的個人属性が主婦（１５０９）である場合には、典型的個人属性に与えられているパスポートは、パスポート４（１５１０）、パスポート５（１５１１）となる。そしては、図ではＢはパスポート５のパスポート識別情報を選択（１５１２）しており、選択受付部ではパスポート５のパスポート識別情報の選択を受け付けている。パスポート識別情報の選択回数は３回（１５１３）の複数回の選択である。さらに、例えば、ユーザＣ（１５１４）について、典型的個人属性がＯＬ（１５１５）である場合には、典型的個人属性に与えられているパスポートはパスポート６（１５１６）、パスポート７（１５１７）、パスポート８（１５１８）、パスポート９（１５１９）、パスポート１０（１５２０）、パスポート１１（１５２１）となる。そして、図ではＣはパスポート７、パスポート９、パスポート１１、の複数のパスポートのパスポート識別情報を選択（１５２２、１５２３、１５２４）しており、選択受付部では、パスポート７、パスポート９、パスポー１１、のパスポート識別情報の選択を受け付けている。それぞれのパスポート識別情報の選択回数は、パスポート７について１回（１５２５）、パスポート９について２回（１５２６）、パスポート１１について３回（１５２７）である。
【００８５】
典型的個人属性は、各パスポート毎に関連付けられていることは先にも示しているが、関連付けられている典型的個人属性がユーザにも明らかになるように構成しても構わない。すなわち、ユーザがパスポートの選択を行うパスポート選択受付部における選択可能なパスポートの表示画面において、各パスポートに関する情報とともに関連付けられている典型的個人属性を表示するような場合である。図１５に示す図では、各パスポートの名称（パスポート１、パスポート２、パスポート３・・・）の下に、パスポートが関連付けられている典型的個人属性である「サラリーマン」「主婦」「ＯＬ」が表示されている。典型的個人属性の表示は、本実施形態におけるユーザ属性情報依存選択受付部が不存在の実施形態においても、ユーザがパスポートを選択する際にいずれのパスポートが自分に適しているかを判断するための判断要素の一つとして利用することが可能であることから、パスポート選択受付部が表示する選択可能パスポートの情報の一つとして表示することが考えられる。
【００８６】
＜実施形態２  ハードウェア構成＞
＜実施形態１  パスポート管理装置＞
図１６にあるように実施形態２のパスポート管理装置のハードウェア構成も不揮発性メモリに、パスポート情報保持プログラム、ユーザ属性情報依存選択受付制御プログラム、選択受付プログラム、ユーザ属性情報保持プログラム、ユーザ所有情報保持プログラム、パスポート注文可能情報保持プログラム、パスポート注文可能情報送信プログラム、パスポート注文情報取得プログラム、パスポート注文可能情報更新プログラムと、が保持されており、一連のプログラムの実行命令に基づいてこれらのプログラムが実行される。なお、データとしては、典型的個人属性、パスポート識別情報、レストラン識別情報、未使用時注文可能回数、パスポート情報、選択情報、ユーザ識別情報、ユーザ属性情報、パスポート注文可能情報、利用した又は利用するレストラン識別情報、注文した又は注文する回数、更新パスポート注文可能情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００８７】
＜実施形態２  処理の流れ＞
図１７は、実施形態２における個人属性別レストランパスポートシステムにおける最も基本的な処理の流れを示す図である。図に示すように、パスポート利用端末装置におけるパスポートの選択開始（その際に行われるユーザ識別情報の送信）を行う、選択開始ステップ（ユーザ識別情報送信ステップ）（１７０１）と、パスポート利用端末装置からのユーザ識別情報と対応するユーザのユーザ属性情報をパスポート管理装置が取得するための、対応するユーザ属性情報取得ステップ（１７０２）と、取得したユーザ属性情報に依存して選択可能なパスポートの受付を行うように選択受付部を制御するための、ユーザ属性情報依存選択受付制御ステップ（１７０３）と、ユーザ属性に応じたパスポートのみをユーザに選択させるための選択画面を生成する、選択画面生成ステップ（１７０４）と、パスポート利用端末装置を用いてユーザがパスポートの購入を行うための初期パスポート選択ステップ（１７０５）と、パスポート利用端末装置からの選択をパスポート管理装置にて受け付ける、選択受付ステップ（１７０６）と、ユーザの所有情報を記録するユーザ所有情報記録ステップ（１７０７）と、パスポート利用端末装置においてパスポート識別情報を保持するために記録する、パスポート識別情報記録ステップ（１７０８）、パスポート管理装置においてパスポート注文可能情報保持するために記録する、パスポート注文可能情報記録ステップ（１７０９）、パスポート管理装置が保持しているパスポート注文可能情報をパスポート利用端末装置に送信するための、パスポート注文可能情報送信ステップ（１７１０）と、パスポート管理装置から送信されたパスポート注文可能情報をパスポート利用端末装置が受信するための、パスポート注文可能情報受信ステップ（１７１１）と、パスポート利用端末装置が受信したパスポート注文可能情報をユーザに視認可能に表示するための、パスポート注文可能情報表示ステップ（１７１２）と、ユーザが注文に利用しようと考えているパスポートを選択するための、パスポート識別情報選択ステップ（１７１３）と、パスポート利用端末装置からレストラン端末装置に所有情報を出力するための、所有情報出力ステップ（１７１４）と、レストラン端末がパスポート利用端末装置からの所有情報出力を受信した後にパスポート注文情報を取得するための、パスポート注文情報取得ステップ（１７１５）と、レストラン端末装置から注文情報をパスポート管理装置に送信するための、注文情報送信ステップ（１７１６）と、パスポート管理装置がレストラン端末装置から送信されたパスポート注文情報を取得する、パスポート注文情報取得ステップ（１７１７）と、パスポート管理装置がレストラン端末装置から受信したパスポート注文情報を基にパスポート注文可能情報を更新する、パスポート注文可能情報更新ステップ（１７１８）と、ユーザの操作が終了したかを判断する注文終了判断ステップ（１７１９）と、ユーザの操作が終了していなかった場合に、新たにパスポートの購入を行うかを判断する追加購入判断ステップ（１７２０）と、レストラン端末装置において、ユーザの注文が終了したかを判断する、注文終了判断ステップ（１７２１）と、からなる。
【００８８】
＜実施形態３  概要＞
本実施形態における発明は、実施形態１又は実施形態２の発明に加えて、システムに保存されているパスポート情報の更新（変更、削除、新規登録）を行うことが可能なことを特徴とする。
【００８９】
＜実施形態３  発明の構成＞
図２に示すように、実施形態３の個人属性識別レストランパスポートシステムは、パスポート管理装置と、レストラン端末装置と、パスポート利用端末装置と、を有する。図１８は、実施形態３の個人属性別レストランパスポートシステムのパスポート管理装置の構成の一例を示す図である。図に示すように、個人属性別レストランパスポートシステムのパスポート管理装置は、パスポート情報保持部（１８０１）、選択受付部（１８０２）、ユーザ属性情報保持部（１８０３）、ユーザ所有情報保持部（１８０４）、パスポート注文可能情報保持部（１８０５）、パスポート注文可能情報送信部（１８０６）、パスポート注文情報取得部（１８０７）、パスポート注文可能情報更新部（１８０８）、メニュー情報受付部（１８０９）、メニュー情報保持部（１８１０）、パスポート更新ルール保持部（１８１１）、パスポート情報更新部（１８１２）と、からなる。
図１９は、本実施形態１の個人属性別レストランパスポートシステムのレストラン端末装置の構成の一例を示す図である。図に示すように、レストラン端末は、パスポート注文情報取得部（１９０１）、パスポート注文情報送信部（１９０２）、レストラン識別情報保持部（１９０３）、メニュー情報取得部（１９０４）、メニュー情報送信部（１９０５）と、からなる。
パスポート利用端末装置の構成の構成は、実施形態１又は２と同様である。
以下では、実施形態１又は実施形態２との共通の構成の説明は省略し、本実施形態に特徴的な構成についてのみ説明する。
【００９０】
＜実施形態３  構成の説明＞
＜実施形態３  パスポート管理装置について＞
＜実施形態３  パスポート管理装置：メニュー情報受付部＞
「メニュー情報受付部」は、パスポート情報の更新（新規登録を含む）のために、メニュー情報を受け付ける。メニュー情報は、パスポートを利用して注文可能なメニュー識別情報、注文できるメニューを識別するためのメニュー識別情報、メニューの材料、メニューのカロリー、メニューの味つけ、メニューの通常提供時の価格、典型的個人属性と関連付けるための情報、等のメニューに関するメニュー属性情報、によって構成される。受け付けられたメニュー情報は、すでに典型的個人属性と関連付けて保持されているメニュー情報とは異なる点を有するメニュー情報であるか、同一のメニュー情報であるが別の典型的個人属性と関連付けるためのメニュー情報である。メニュー情報の更新で行われる動作は、すでに保持されているメニュー情報の内容を変更する、削除する、関連付けられている典型的個人属性を変更する、新たに典型的個人属性と関連付けたメニュー情報を登録する、ことである。メニュー情報がすでに存在しているメニュー情報に対する更新を目的とする情報である場合には、すでに保持されているメニューを特定できるようにすでに保持されているメニューのメニュー識別情報と組み合わされた情報となっていることが好ましい。
【００９１】
メニュー情報で受け付けたメニュー情報に従ってパスポート情報が更新されると、更新されたパスポート情報がパスポート管理装置のパスポート情報保持部に保持されるパスポート情報となる。そして、更新されたパスポート情報は、パスポート識別情報保持部に保持されているそのほかのパスポート情報とともに、選択受付部に選択可能なパスポートの一つとして表示される。
【００９２】
メニューを提供するレストランは、パスポートの購入状況やパスポートを利用した注文状況を分析することによって、より自分のレストランのメニューが選択されるように、パスポートの内容、パスポートを利用して注文できるメニューの内容を洗練させていくことが考えられる。したがって、一度個人属性別レストランパスポートシステムに保持させたメニュー情報は、随時変更することが必要となる。
メニューの変更を通じて、メニューを提供するレストランは、季節ごとの行事を反映させた特別なメニューを提供したり、月替わりのメニューを提供する、週替わりのメニューを提供するといった、パスポートを利用しないで注文を行う客に対するサービスと同様のサービスを、パスポートのユーザに対しても提供することが可能となる。
【００９３】
＜実施形態３  パスポート管理装置：メニュー情報保持部＞
「メニュー情報保持部」は、受付けたメニュー情報をパスポート情報の更新のために保持する。保持されたメニュー情報が直ちに更新のために用いられてもよいし、更新時期を指示しておいてその時期に自動的に更新するように構成してもよい。後者の場合にはメニュー情報を間欠的に受け付けたものを一度に更新するように構成することも可能である。例えば１週間単位で新メニューを登録し、更新は１か月単位で行うような場合である。あるいは、シーズンメニューを４シーズン分保持させておき、時期指定によりサイクルで更新させることも考えられる。更新はメニューに応じて時間帯替わり指定、日替わり指定、週替わり指定、月替わり指定、シーズン替わり指定、などとすることもできる。また、例えばニュースなどをインターネットから取得して、プロ野球の優勝、オリンピックなどでの金メダルの獲得、雨の日、晴れの日などに応じて更新させるためにメニューを保持しておくことも考えられる。さらに１日１００食限定など、パスポート注文情報と連動するようにメニュー更新（消去を含む）させることもできる。
【００９４】
＜実施形態３  パスポート管理装置：パスポート更新ルール保持部＞
「パスポート更新ルール保持部」は、保持されているメニュー情報を利用してパスポート情報を更新するルールを保持する。パスポート更新ルールは、更新の対象となる保持されてるメニュー情報と受け付けられたメニュー情報を比較して、異なる点について、受け付けられたメニュー情報と変更するというルールとなっていることが考えられる。あるいは、更新の対象となる保持されているメニュー情報を消去して、受け付けられたメニュー情報を保持する方法が考えられる。パスポート更新ルールは、ここに示した例示に限られない。
【００９５】
＜実施形態３  パスポート管理装置：パスポート情報更新部＞
「パスポート情報更新部」は、保持されているメニュー情報と保持されているルールに基づいてパスポート情報を更新する。例えば、パスポートＡで利用可能なメニューとしてカレーうどんがあり、保持されているメニュー情報としてなべ焼きうどんが与えられている場合、更新の対象となる保持されているメニュー情報と受け付けられたメニュー情報を比較して異なる点について受け付けられたメニュー情報と変更するというルールがパスポート更新ルールである場合には、「カレー」を「なべ焼き」に変更する更新が行われる。更新の対象となる保持されているメニュー情報を消去して受け付けられたメニュー情報を保持するというルールがパスポート更新ルールである場合には、「カレーうどん」が削除されて「なべ焼きうどん」が保持されるという更新が行われる。
【００９６】
＜実施形態３  レストラン端末装置について＞
＜実施形態３  レストラン端末装置：レストラン識別情報保持部＞
「レストラン識別情報保持部」は、レストラン識別情報を保持する。この識別情報は階層構造を有していてもよく、一のレストランチェーンと他のレストランチェーンとを識別できるように構成する。さらに、この識別情報はメニューの考案者や、材料の仕入れ元、調理者の識別情報（セントラルキッチンである場合など）などを識別する情報を含むものであってもよい。このシステムは、レストランの品質向上をも目的とするものであるので、人気の有無がどのような要因によって生じたものであるかをよりはっきりさせるために有効だからである。以上はレストランチェーン（本部側）から得られる情報であるが、レストラン側から得られる情報として各レストランの従業員（時間帯別）を識別する情報が含まれていてもよい。これらの内部情報は、ユーザには閲覧できないように構成することが好ましい。ただし、パスポート注文情報には含まれるように構成することでマーケティングに利用可能となる。
【００９７】
＜実施形態３  レストラン端末装置：メニュー情報取得部＞
「メニュー情報取得部」は、更新のためにレストラン識別情報、メニュー識別情報及びメニュー識別情報で識別されるメニューのメニュー属性情報を関連付けた情報であるメニュー情報を取得する。メニュー属性情報とは、メニューの材料、メニューのカロリー、メニューの味つけ、メニューの通常提供時の価格、等のメニューに関する情報である。チェーンのレストラン端末においてメニュー情報が取得される場合に加え、チェーンの各レストランにおいてメニュー情報が取得される場合がある。例えば、チェーンのレストラン端末においてメニュー情報が取得される場合には、チェーン全体のメニューの変更としてパスポート情報の更新が行われ、各レストランの端末においてメニュー情報が取得された場合には、メニュー情報の取得が行われたレストランにおいてのみ注文可能なメニューとしてパスポート情報が更新される、という構成にすることが可能である。
【００９８】
＜実施形態３  レストラン端末装置：メニュー情報送信部＞
「メニュー情報送信部」は、取得したメニュー情報を更新のために送信する。メニュー情報送信部は、メニュー情報をパスポート管理装置のメニュー情報受付部に送信する。メニュー情報受付部がメニュー情報送信部から送信されたメニュー情報を受け付けることによって、前述で説明したように、パスポート管理装置に保持されているパスポート情報が更新される。
【００９９】
＜実施形態３  ハードウェア構成＞
＜実施形態３  パスポート管理装置＞
図２０にあるように実施形態３のパスポート管理装置のハードウェア構成も不揮発性メモリに、パスポート情報保持プログラム、選択受付プログラム、ユーザ属性情報保持プログラム、ユーザ所有情報保持プログラム、パスポート注文可能情報保持プログラム、パスポート注文可能情報送信プログラム、パスポート注文情報取得プログラム、パスポート注文可能情報更新プログラムと、メニュー情報受付プログラム、メニュー情報保持プログラム、パスポート更新ルール保持プログラム、パスポート情報更新プログラムと、が保持されており、一連のプログラムの実行命令に基づいてこれらのプログラムが実行される。なお、データとしては、典型的個人属性、パスポート識別情報、レストラン識別情報、未使用時注文可能回数、パスポート情報、選択情報、ユーザ識別情報、ユーザ属性情報、パスポート注文可能情報、利用した又は利用するレストラン識別情報、注文した又は注文する回数、更新パスポート注文可能情報、メニュー識別情報、メニュー属性情報、メニュー情報、パスポート更新ルール、更新パスポート情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【０１００】
＜実施形態３  レストラン端末装置＞
図２１にあるように実施形態３のレストラン端末装置のハードウェア構成も不揮発性メモリに、パスポート注文情報取得プログラムとパスポート注文情報送信プログラム、レストラン識別情報保持プログラム、メニュー情報取得プログラム、メニュー情報送信プログラムと、が保持されており、一連のプログラムの実行命令に基づいてこれらのプログラムが実行される。なお、データとしては、ユーザ識別情報、パスポート識別情報、レストラン識別情報、注文回数、パスポート注文情報、メニュー識別情報、メニュー属性情報、メニュー情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【０１０１】
＜実施形態３  処理の流れ＞
実施形態３における個人属性別レストランパスポートシステムにおけるパスポートを利用した注文の処理の流れは実施形態１又は実施形態２と同様である。実施形態３では、システムに保存されているパスポート情報の更新（変更、削除、新規登録）を行うことが可能であり、この更新の処理は、パスポートを利用した注文とは別の情報処理の流れに従って行われる。図２２は、システムに保存されているパスポート情報の更新の処理の流れを示す図である。図に示すように、レストラン端末装置における処理として、メニュー情報取得ステップ（２２０１）、メニュー情報送信ステップ（２２０２）、さらに、パスポート管理装置における処理として、メニュー情報受付ステップ（２２０３）、パスポート情報更新ステップ（２２０４）と、からなる。
【０１０２】
＜実施形態４  概要＞
本実施形態における発明は、実施形態１から実施形態３のいずれか１の発明の特徴に加えて、典型的個人属性を示して、これを選択させたうえでユーザが購入するパスポートの選択を受け付ける構造となっていることを特徴とする。
【０１０３】
＜実施形態４  発明の構成＞
図２に示すように、実施形態４の個人属性識別レストランパスポートシステムは、パスポート管理装置と、レストラン端末装置と、パスポート利用端末装置と、を有する。図２３は、実施形態４の個人属性別レストランパスポートシステムのパスポート管理装置の構成の一例を示す図である。図に示すように、個人属性別レストランパスポートシステムのパスポート管理装置は、パスポート情報保持部（２３０１）、選択受付部（２３０２）、典型的個人属性選択受付手段（２３０３）、ユーザ属性情報保持部（２３０４）、ユーザ所有情報保持部（２３０５）、パスポート注文可能情報保持部（２３０６）、パスポート注文可能情報送信部（２３０７）、パスポート注文情報取得部（２３０８）、パスポート注文可能情報更新部（２３０９）と、からなる。
レストラン端末装置、パスポート利用端末装置の構成の構成は、実施形態１から実施形態４のいずれか一と同様である。
以下では、実施形態１から実施形態４のいずれか一との共通の構成の説明は省略し、本実施形態に特徴的な構成についてのみ説明する。
【０１０４】
＜実施形態４  構成の説明＞
＜実施形態４  典型的個人属性選択受付手段＞
「典型的個人属性選択受付手段」は、典型的個人属性を示して選択を受け付けるための手段である。選択受付部に示される各パスポート情報と関連付けられた典型的個人属性の中から、ユーザにユーザの個人属性と合致する典型的個人属性が与えられたパスポートを選択させる。関連付けられている典型的個人属性として、例えば、サラリーマン、ＯＬ、ランチ、女子会、家族等が表示されている場合に、昼食にパスポートを利用したいサラリーマンであれば、典型的個人属性としてサラリーマン、ランチと関連付けられているパスポートの中から選択するとよい。あるいは、休日に家族と外食をする際に利用したい母親の場合には、典型的個人属性として家族と関連付けられているパスポートの中から選択するとよい。あるいは、友人との集まりでパスポートを利用したいＯＬであれば、典型的個人属性としてＯＬ、ランチ、女子会と関連付けられているパスポートの中から選択するとよい。
【０１０５】
典型的個人属性選択受付手段の具体的な例としては、図７に示すように、選択受付を階層的に行わせるようにして、第一の階層として、典型的個人属性が表示する方法が考えられる。表示された典型的個人属性の中からユーザが自分の属性に合致すると思うものを選択すると、次の階層として、選択した典型的個人属性と関連付けられたパスポーとの一覧が表示される。パスポートの一覧画面を表示する階層の前に、さらにそのパスポートの性質（例えば、朝食用、昼食用、夕食用、飲み会用等のパスポートを利用するシチュエーション）を選択するための階層が含まれていてもよい。
あるいは、図６、図７、１５図に示すように、パスポートの一覧を表示する際のパスポートの説明として、パスポートに関連付けられている典型的個人属性を示すように構成することも考えられる。
【０１０６】
＜実施形態４  ハードウェア構成＞
＜実施形態４  パスポート管理装置＞
図２４にあるように実施形態４のパスポート管理装置のハードウェア構成も不揮発性メモリに、パスポート情報保持プログラム、選択受付プログラム、典型的個人属性選択受付プログラム、ユーザ属性情報保持プログラム、ユーザ所有情報保持プログラム、パスポート注文可能情報保持プログラム、パスポート注文可能情報送信プログラム、パスポート注文情報取得プログラム、パスポート注文可能情報更新プログラムと、が保持されており、一連のプログラムの実行命令に基づいてこれらのプログラムが実行される。なお、データとしては、典型的個人属性、パスポート識別情報、レストラン識別情報、未使用時注文可能回数、パスポート情報、選択情報、ユーザ識別情報、ユーザ属性情報、パスポート注文可能情報、利用した又は利用するレストラン識別情報、注文した又は注文する回数、更新パスポート注文可能情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【０１０７】
＜実施形態４  処理の流れ＞
図２５は、実施形態４における個人属性別レストランパスポートシステムにおける最も基本的な処理の流れを示す図である。図に示すように、パスポート利用端末装置からユーザが初期パスポート選択を行いパスポートを購入する、初期パスポート選択ステップ（２５０１）と、パスポート利用端末からの初期パスポート選択の指示をパスポート管理装置が受け付ける、選択受付ステップ（２５０２）と、ユーザに典型的個人属性を表示して選択をさせるための、典型的個人属性選択受付サブステップ（２５０３）と、パスポート管理装置にユーザ所有情報を保持するための、ユーザ所有情報記録ステップ（２５０４）と、パスポート管理装置が記録したユーザ所有情報に基づきパスポート利用端末装置がパスポート識別情報を保持する、パスポート識別情報記録ステップ（２５０５）と、パスポート管理装置が記録したユーザ所有情報記録に基づきパスポート注文可能情報を保持するための、パスポート注文可能情報記録ステップ（２５０６）と、パスポート管理装置が保持しているパスポート注文可能情報をパスポート利用端末装置に送信するための、パスポート注文可能情報送信ステップ（２５０７）と、パスポート管理装置から送信されたパスポート注文可能情報をパスポート利用端末装置が受信するための、パスポート注文可能情報受信ステップ（２５０８）と、パスポート利用端末装置が受信したパスポート注文可能情報をユーザに視認可能に表示するための、パスポート注文可能情報表示ステップ（２５０９）と、ユーザが注文に利用しようと考えているパスポートを選択するための、パスポート識別情報選択ステップ（２５１０）と、パスポート利用端末装置からレストラン端末装置に所有情報を出力するための、所有情報出力ステップ（２５１１）と、レストラン端末がパスポート利用端末装置からの所有情報出力を受信した後にパスポート注文情報を取得するための、パスポート注文情報取得ステップ（２５１２）と、レストラン端末装置から注文情報をパスポート管理装置に送信するための、注文情報送信ステップ（２５１３）と、パスポート管理装置がレストラン端末装置から送信されたパスポート注文情報を取得する、パスポート注文情報取得ステップ（２５１４）と、パスポート管理装置がレストラン端末装置から受信したパスポート注文情報を基にパスポート注文可能情報を更新する、パスポート注文可能情報更新ステップ（２５１５）と、ユーザの操作が終了したかを判断する注文終了判断ステップ（２５１６）と、ユーザの操作が終了していなかった場合に、新たにパスポートの購入を行うかを判断する追加購入判断ステップ（２５１７）と、レストラン端末装置において、ユーザの注文が終了したかを判断する、注文終了判断ステップ（２５１８）と、からなる。
【０１０８】
＜実施形態５＞
＜実施形態５  発明の概要＞
本実施形態における発明は、実施形態２又は実施形態２に従属する実施形態３又は実施形態２に従属する実施形態４の発明の特徴に加えて、ユーザがユーザのユーザ属性情報に優先順位を設定することができ、ユーザが設定したユーザ属性情報優先順位に応じて、同一の典型的個人属性が関連付けられたパスポートのなかで、利用できるパスポートと利用できないパスポートの割り当てが行われることを特徴とする。
【０１０９】
＜実施形態５  発明の構成＞
図２に示すように、実施形態５の個人属性識別レストランパスポートシステムは、パスポート管理装置と、レストラン端末装置と、パスポート利用端末装置と、を有する。図２６は、実施形態５の個人属性別レストランパスポートシステムのパスポート管理装置の構成の一例を示す図である。図に示すように、個人属性別レストランパスポートシステムのパスポート管理装置は、パスポート情報保持部（２６０１）、優先度付パスポート情報保持手段（２６０２）、選択受付部（２６０３）、ユーザ属性情報保持部（２６０４）、優先度付ユーザ属性情報保持手段（２６０５）、ユーザ属性情報依存選択受付制御部（２６０６）、優先度付ユーザ属性情報依存選択受付制御手段（２６０７）、ユーザ所有情報保持部（２６０８）、パスポート注文可能情報保持部（２６０９）、パスポート注文可能情報送信部（２６１０）、パスポート注文情報取得部（２６１１）、パスポート注文可能情報更新部（２６１２）と、からなる。パスポート管理装置及びレストラン端末装置の構成は、実施形態２と同様である。以下では、実施形態２と共通の構成についての説明は省略し、本実施形態に特徴的な構成についてのみ説明する。
【０１１０】
＜実施形態５  構成の説明＞
＜実施形態５  優先度付ユーザ属性情報保持手段＞
「優先度付ユーザ属性情報保持手段」は、ユーザ識別情報と同一ユーザに関連付けられている複数のユーザ属性情報間のそのユーザにとっての優先度を付加したユーザ属性情報である複数の優先度付ユーザ属性情報と関連付けて保持する。ユーザは、シーンや時間帯等によって複数のユーザ属性（ペルソナ）を使い分けているものである。したがって、ユーザを示すユーザ属性は、複数の典型的個人属性が割り当てられることが普通である。優先度付ユーザ属性情報保持手段では、複数の典型的個人属性に振り分けられるべきユーザのユーザ属性情報について、ユーザが優先度を定めることができるという構成になっている。
【０１１１】
優先度付ユーザ属性情報を基に、ユーザ属性情報に関連付けられている典型的個人属性の優先度が定められ、そのユーザについての優先度付典型的個人属性が定まる。例えばユーザが、会社員、三十代、既婚、子供あり、をユーザ属性情報として入力しており、会社員を優先順位の一番目にして、三十代を優先順位二番目にして、既婚を優先順位三番にして、子供を優先順位四番目にしていたとする。このとき、ユーザ属性情報に対応する典型的個人属性が、例えば「サラリーマン」「夫」「父親」となる場合、第一番目の優先順位の会社員に関連付けられた「サラリーマン」の典型的個人属性が、そのユーザにおける第一番目の優先順位の優先度付典型的個人属性となる。第二番目の順位の三十代に関連付けられた典型的個人属性はないことから、三十代はユーザ属性情報としては保持されるが優先度付ユーザ属性情報としては保持されず、三十代の優先度付ユーザ属性情報からはそのユーザについての優先度付典型的個人属性は定まらない。第二番目の順位の三十代というユーザ属性情報から、そのユーザにおける第二番目の順位の優先度付典型的個人属性が定まらないので、第三番目の順位の既婚に関連付けられた「夫」の典型的個人属性が、そのユーザにおける第二番目の優先度付典型的個人属性となる。そして、第四番目の順位の子供ありに関連付けられた「父親」の典型的個人属性が、そのユーザにおける第三番目の優先度付典型的個人属性となる。
【０１１２】
ユーザ属性情報の優先度は、ユーザはユーザ属性情報を入力する際に同時に設定するように構成することが考えられる。優先度順にユーザ属性情報を入力するように構成するか、あるいは入力したユーザ属性情報にあとから優先順位を割り当てるといった構成にすることが考えられる。ユーザは同順位の優先順位を定めることはできず、必ず一つずつ順位を設定することが想定されている。
【０１１３】
本実施形態は、優先順位に応じて利用可能なパスポートが変化することを特徴としているところ、全て優先順位を一位として同順位を設定可能とすると、結局ユーザが入力したいずれのユーザ属性でも最高レベルのパスポートを利用可能となってしまうため、本実施形態がユーザ属性情報の優先順位を取り入れた意味を没却してしまうからである。
【０１１４】
同順位の設定を可能とするならば、下位順位によって同位となるように設定するよう構成することが好ましい。すなわち、ユーザが四つのユーザ属性を全て１番目の優先順位として設定したとしても、全て四番目の優先順位のユーザ属性情報として取り扱うということである。一般化すれば、Ｎ個のユーザ属性を有する場合に適切にユーザからの優先順位が得られない場合には、すべて優先順位をＮ番目にするということである。例えばユーザが、会社員、既婚、子供あり、フットサルサークルに所属、をユーザ属性情報として入力しており、会社員を優先順位の一番目にして、既婚と子供を優先順位二番目にして、フットサルサークルを優先順位三番目にしていたとする。このとき、ユーザ属性情報の優先度は、第一番目の優先度が会社員、第二番目がなく、第三番目の優先度が既婚と子供、第四番目がフットサルサークルに所属、となるような構成である。このように構成することによって、ユーザは同順位の優先度付ユーザ属性情報を設定した場合には、より上位の順位で一つずつ優先度付ユーザ属性情報を入力する場合よりも不利益を受けることになり、すべて同順位にして最高クラスのサービスの提供だけを受けようとすることを防止することが可能となる。さらに、ユーザが自発的に同順位で優先順位を設定することを避けるように促すことが可能となる。
【０１１５】
ユーザ属性情報は、ユーザごと保有している量が異なってくることから、入力できるユーザ属性情報の個数を事前に定めておくようにするか、あるいは、入力は自由に可能であるが、設定できる優先順位が最大何位までであるかに制限を設けておくように構成しておくことが好ましい。
【０１１６】
例えば、ユーザＡが、＜男、会社員、３０代、２人の子供あり、フットサルサークルに所属している＞というユーザ属性情報を有している場合、この人物には、「サラリーマン」「父親」「サークル員」といった典型的個人属性が与えられることが考えられる。この場合、ユーザＡは、複数のユーザ属性情報に対して、ユーザがパスポートを利用したいという要望が強い順に優先順位をつけることになる。ユーザＡが、家族と離れて外食する際によく利用したいと思っているのであれば、会社員＞フットサルサークルに所属している＞２人の子供あり＞３０代と優先順位を設定することが考えられる。この場合、ユーザの指定した優先度付ユーザ属性情報に対応する典型的個人属性の優先順位は、「サラリーマン」＞「サークル員」＞「父親」となる。あるいは、家族との外食においてパスポートを利用したいという要望が強い場合には、２人の子供あり＞フットサルサークルに所属している＞３０代＞会社員と優先順位を設定することが考えられる。この場合、ユーザの指定した優先度付ユーザ属性情報に対応する典型的個人属性の優先順位は、「父親」＞「サークル員」＞「サラリーマン」となる。
【０１１７】
優先順位は、ユーザが自ら設定することを想定している。さらに、ユーザのパスポートを利用したい状況は、常に一定とは限らないので、ユーザが希望する優先順位が変更する都度、優先順位の変更ができるように構成しておくことが好ましい。ユーザが最初のパスポート購入時に優先順位を設定した後に、実際にパスポートを利用した頻度に応じて、本システムが自動的に優先度を再設定するような構成にすることも考えられる。あるいは、本システムが、ユーザに対して利用状況に応じて、適宜優先順位の変更を行うように提案をするという構成にすることも考えられる。従来からある優先度付ユーザ属性情報に対する優先度付ユーザ属性情報の新規追加の場合には、図２７ａ、図２７ｂ、図２７ｄ、図２７ｅに例示するように、新規に追加された優先度付ユーザ属性情報の上位にある優先度付ユーザ属性情報の優先度は入れ替えず、下位に入る優先度付ユーザ属性情報は挿入される優先度付ユーザ属性情報の数分優先度を繰り下げるように構成する。さらに、優先度付ユーザ属性情報の一部を廃棄する場合には、図２７ｃ、図２７ｄ、に示すように、その廃棄される優先度付きユーザ属性情報よりも上位に位置する優先度付ユーザ属性情報の順位には変更を加えず、下位の優先度付ユーザ属性情報の優先度はその廃棄される優先度付ユーザ属性情報の数分繰り上げることとする。なお、優先度付典型的個人属性に対応しない場合にはそのユーザ属性情報は優先度付ユーザ属性情報としては扱われないように構成することが好ましい。
【０１１８】
優先順位の変更のタイミングについては、ユーザが好きなタイミングでできるようにすることも可能であるが、実際には月単位や数か月単位といった、ある程度まとまった期間をおいてから再設定が可能なように構成することが好ましい。なぜなら、後述するように、本実施形態ではユーザ属性情報の優先度に応じて、利用可能なパスポートが変化するので、ユーザがパスポートを買うタイミングで欲しいパスポートに合わせて優先順位を変更することが可能になると、常にユーザは優先順位１位の典型的個人属性に関連付けられているパスポートを購入することが可能となってしまうからである。優先順位に応じて、パスポートによって提供されるサービスが変化するという特徴を維持するためには、ユーザはある時点で設定した優先順位にある程度の期間拘束されるように構成しておく必要がある。
【０１１９】
＜実施形態５  優先度付パスポート情報保持手段＞
「優先度付パスポート情報保持手段」は、パスポート情報として、典型的個人属性が、他の典型的個人属性と比較した場合の優先度を付加した典型的個人属性である優先度付典型的個人属性であるパスポート情報を保持する。本システムでは、ユーザが設定した優先度付ユーザ属性情報に応じて利用可能なパスポートが定められている。同一の典型的個人属性が与えられているパスポートであっても、典型的個人属性の優先度によって識別情報が異なっている。図２８は、同一の典型的個人属性が与えられた同種のパスポートについて、優先度付典型的個人属性に応じて識別番号が異なる場合の一例を示す図である。例えば、ＯＬ用ランチパスポートであっても、優先度付典型的個人属性の優先度が１位の場合にはＯＬＬ０１、優先度付典型的個人属性の優先度が２の場合にはＯＬＬ０２、優先度付典型的個人属性の優先度が３の場合には、ＯＬＬ０３、といったように識別番号が異なっている。図の例では、典型的個人属性であるＯＬを示す「ＯＬ」と、ランチ向けパスポートであることを示す「Ｌ」と、優先度を示す「０１」「０２」「０３」を組み合わせている。この例に示すように、同種のパスポートであることを示す情報（図の例では、「ＯＬＬ」がこれに該当する）と、優先度を示す情報（図の例では、「０１」「０２」「０３」）がこれに該当する）とを組み合わせた識別番号をパスポート情報として含むように構成することが考えられる。
【０１２０】
＜実施形態５  優先度付ユーザ属性情報依存選択受付制御手段＞
「優先度付ユーザ属性情報依存選択受付制御手段」は、優先度付きユーザ属性情報に依存して選択受付可能なパスポート識別情報を抽出するように制御する。ユーザの設定したユーザ属性の優先度に応じて、ユーザのユーザ属性と関連付けられる典型的個人属性にも優先度が与えられることになる。本実施形態では、典型的個人属性の優先度と関連付けてパスポート識別情報が保持されていることから、優先度付ユーザ属性情報依存選択受付制御部では、ユーザの設定したユーザ属性に応じてこれに対応する優先度付典型的個人属性と関連づけられている優先度付パスポート識別情報を選択する。優先度付ユーザ属性情報依存選択受付制御手段は、優先度対ユーザ属性情報に応じて利用可能な優先度付パスポート識別情報のみを、選択受付部に選択のために表示させることで選択受付部を制御する。
【０１２１】
＜実施形態５  優先度に応じたパスポートの違い＞
本実施形態では、優先度に応じて利用可能なパスポートが異なる。この利用可能なパスポートが異なるとは、例えば同じＯＬの典型的個人属性に関連付けられているパスポートについて、ＯＬの優先度を一番目にしているユーザであればパスポートの購入価格が８０００円、優先度を二番目にしているユーザであればパスポートの購入価格が９０００円、優先度を三番目にしているユーザであればパスポートの購入価格が１００００円というように、パスポートの購入価格に差を持たせるようにすることが考えられる。
パスポートの購入価格だけでなく、パスポートの利用可能回数、パスポートの利用可能時間帯、パスポートを有していないが同席した人物について通常提供価格に対して割引（割引の有無、割引率が優先度によって異なる）のサービス、注文可能なメニュー、注文可能なメニューの素材、等の差を持たせることが考えられる。
【０１２２】
優先順位が高いユーザに対して店側が付加価値を与える場合、優先順位の高いユーザが増えるほどチェーンの負担が大きくなる。その場合、チェーンは優先順位を高くされることを避けようと考え、むしろサービスの低下につながりかねない。そこで、システム提供者は、高い優先順位のためのパスポートであればあるほど、チェーン側にメリットがあるようにシステム利用料や、パスポート利用に対する支払いの店側の取分について、設定をすることが求められる。優先順位によって利用できるパスポートが異なることは、ユーザに対して選択の幅を広げることになり、ユーザが飽きることなく本システムを継続的に利用することを誘引することができるので、ユーザの囲い込みを行う上では効果的である。
【０１２３】
＜実施形態５  ハードウェア構成＞
＜実施形態５  パスポート管理装置＞
図２９にあるように実施形態５のパスポート管理装置のハードウェア構成も不揮発性メモリに、パスポート情報保持プログラム、優先度付パスポート情報保持プログラム、選択受付プログラム、ユーザ属性情報依存選択受付制御プログラム、優先度付ユーザ属性情報依存選択受付制御プログラム、ユーザ属性情報保持プログラム、優先度付ユーザ属性情報保持プログラム、ユーザ所有情報保持プログラム、パスポート注文可能情報保持プログラム、パスポート注文可能情報送信プログラム、パスポート注文情報取得プログラム、パスポート注文可能情報更新プログラムと、が保持されており、一連のプログラムの実行命令に基づいてこれらのプログラムが実行される。なお、データとしては、典型的個人属性、優先度付典型的個人属性、パスポート識別情報、レストラン識別情報、未使用時注文可能回数、パスポート情報、優先度付パスポート情報、選択情報、ユーザ識別情報、ユーザ属性情報、優先度付ユーザ属性情報、パスポート注文可能情報、利用した又は利用するレストラン識別情報、注文した又は注文する回数、更新パスポート注文可能情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【０１２４】
＜実施形態５  処理の流れ＞
図３０は、実施形態５における個人属性別レストランパスポートシステムにおける最も基本的な処理の流れを示す図である。図に示すように、パスポート利用端末装置におけるパスポートの選択開始（その際に行われるユーザ識別情報の送信）を行う、選択開始ステップ（３００１）と、パスポート利用端末装置からのユーザ識別情報と対応するユーザのユーザ属性情報をパスポート管理装置が取得するための、対応するユーザ属性情報取得ステップ（３００２）と、ユーザ属性情報の優先度を取得するための優先度付ユーザ属性情報取得サブステップ（３００３）と、取得したユーザ属性情報に依存して選択可能なパスポートの受付を行うように選択受付部を制御するための、ユーザ属性情報依存選択受付制御ステップ（３００４）と、優先度付ユーザ属性情報に依存して、選択可能なパスポートの受付を行うように選択受付部を制御するための優先度付ユーザ属性情報依存選択受付制御サブステップ（３００５）と、ユーザ属性に応じたパスポートのみをユーザに選択させるための選択画面を生成する、選択画面生成ステップ（３００６）と、パスポート利用端末装置を用いてユーザがパスポートの購入を行うための初期パスポート選択ステップ（３００７）と、パスポート利用端末装置からの選択をパスポート管理装置にて受け付ける、選択受付ステップ（３００８）と、ユーザの所有情報を記録するユーザ所有情報記録ステップ（３００９）と、パスポート利用端末装置においてパスポート識別情報を保持するために記録する、パスポート識別情報記録ステップ（３０１０）、パスポート管理装置においてパスポート注文可能情報保持するために記録する、パスポート注文可能情報記録ステップ（３０１１）、パスポート管理装置が保持しているパスポート注文可能情報をパスポート利用端末装置に送信するための、パスポート注文可能情報送信ステップ（３０１２）と、パスポート管理装置から送信されたパスポート注文可能情報をパスポート利用端末装置が受信するための、パスポート注文可能情報受信ステップ（３０１３）と、パスポート利用端末装置が受信したパスポート注文可能情報をユーザに視認可能に表示するための、パスポート注文可能情報表示ステップ（３０１４）と、ユーザが注文に利用しようと考えているパスポートを選択するための、パスポート識別情報選択ステップ（３０１５）と、パスポート利用端末装置からレストラン端末装置に所有情報を出力するための、所有情報出力ステップ（３０１６）と、レストラン端末がパスポート利用端末装置からの所有情報出力を受信した後にパスポート注文情報を取得するための、パスポート注文情報取得ステップ（３０１７）と、レストラン端末装置から注文情報をパスポート管理装置に送信するための、注文情報送信ステップ（３０１８）と、パスポート管理装置がレストラン端末装置から送信されたパスポート注文情報を取得する、パスポート注文情報取得ステップ（３０１９）と、パスポート管理装置がレストラン端末装置から受信したパスポート注文情報を基にパスポート注文可能情報を更新する、パスポート注文可能情報更新ステップ（３０２０）と、ユーザの操作が終了したかを判断する注文終了判断ステップ（３０２１）と、ユーザの操作が終了していなかった場合に、新たにパスポートの購入を行うかを判断する追加購入判断ステップ（３０２２）と、レストラン端末装置において、ユーザの注文が終了したかを判断する、注文終了判断ステップ（３０２３）と、からなる。
【０１２５】
＜実施形態６＞
＜実施形態６  発明の概要＞
本実施形態における発明は、実施形態１から実施形態５のいずれか一に記載の発明の特徴に加えて、パスポートの利用状況に応じてクラス分けを行い、長期的に利用しているパスポートや複数回購入しているパスポートについて、提供されるサービス内容が向上するような仕組みを有することを特徴とする。
【０１２６】
＜実施形態６  発明の構成＞
図２に示すように、実施形態６の個人属性識別レストランパスポートシステムは、パスポート管理装置と、レストラン端末装置と、パスポート利用端末装置と、を有する。図３１は、実施形態６の個人属性別レストランパスポートシステムのパスポート管理装置の構成の一例を示す図である。図に示すように、個人属性別レストランパスポートシステムのパスポート管理装置は、パスポート情報保持部（３１０１）、選択受付部（３１０２）、ユーザ属性情報保持部（３１０３）、ユーザ所有情報保持部（３１０４）、ユーザクラス格付保持手段（３１０５）、パスポート注文可能情報保持部（３１０６）、ユーザクラス別パスポート注文可能情報保持手段（３１０７）、パスポート注文可能情報送信部（３１０８）、パスポート注文情報取得部（３１０９）、パスポート注文可能情報更新部（３１１０）と、からなる。
レストラン端末装置、パスポート利用端末装置の構成の構成は、実施形態１から実施形態５のいずれか一と同様である。
以下では、実施形態１又は実施形態５のいずれか一との共通の構成の説明は省略し、本実施形態に特徴的な構成についてのみ説明する。
【０１２７】
＜実施形態６  構成の説明＞
＜実施形態６  ユーザクラス格付保持手段＞
「ユーザクラス格付保持手段」は、ユーザ属性情報として、ユーザのパスポートを介したレストランの利用の多さ等に応じてユーザを識別するユーザクラス格付情報をパスポート識別情報毎に保持する、ユーザ所有情報保持部が有する手段である。ユーザクラス格付は、同一のパスポート識別情報が与えられたパスポートでありながら、ユーザのパスポートに利用状況に応じて受けられるサービスの異なるパスポートが存在する場合の、ユーザの利用状況の区別である。クラス格付の基準は、パスポートを購入する時の価格の違いによる場合、長期継続的に同一のパスポートを購入している場合、同一のパスポートを大量に購入している場合、等が考えられる。
【０１２８】
購入価格の違いによってユーザクラス格付を行う場合、メニューを提供するレストランは複数の価格帯のメニュー提供が可能になり、ユーザが日常的に消費する価格帯にあったパスポートの選択や、目的にあったパスポートの選択が可能となる。また、継続購入や購入量に応じてクラス格付を行う場合、長期間継続すればするほど、受けられるサービスの内容がよくなり、あるいは大量に購入すれば受けられるサービスの内容がよくなることから、本システムの利用の継続や利用促進につながる。
継続購入や購入量によるクラス格付と、購入金額によるクラス格付を組み合わせることも考えられる。継続購入や購入量によって、より質の良いサービスの提供が受けられる価格帯の高いパスポートを選択可能にする、という構成である。
【０１２９】
ユーザクラス格付に応じて受けられるサービスの違いは、例えば、Ａパスポートについて、アメリカ牛のハンバーグのみの提供を受けられるサービス内容と、アメリカ牛と和牛のいずれかから選択してハンバーグの提供を受けられるサービス内容と、アメリカ牛と和牛のハンバーグのいずれかを選択できることに加えて、和牛の種類として神戸牛、松坂牛などの素材を選択してハンバーグの提供を受けられるサービス内容がある場合がある。このとき、アメリカ牛のハンバーグのみの提供を受けられるパスポートは「パスポートＡユーザクラス格付１」、アメリカ牛と和牛のいずれかを選択してハンバーグの提供を受けられるパスポートは「パスポートＡユーザクラス格付２」、アメリカ牛と和牛の選択に加えて、神戸牛、松坂牛といった和牛の種類を選択してハンバーグの提供を受けられるパスポートは「パスポートＡユーザクラス格付３」というように、サービスの内容に応じてパスポートＡのユーザを格付することができる。
【０１３０】
ユーザクラス格付の内容は、提供されるメニューに上記のような素材の違いを持たせることの他に、提供されるメニューのボリュームを増すことが考えられる。例えばステーキでは、１００グラムが通常の提供量であれば、クラスが上がるに応じて１５０グラム２００グラムといった増量されたステーキの選択を可能にするといったことが考えられる。あるいは、クーポンを利用した時に通常メニューに別のメニューを追加することが考えられる。例えば、焼肉定食の場合に、冷ややっこの小鉢を追加する、ステーキの場合に添え物にマッシュポテトが追加される、ドリンクが１杯追加される、といったことが考えられる。あるいは、通常５回のパスポートが６回使用できるとか、一定金額以内のメニューを指定された回数だけ別途注文可能である、利用可能なレストランの増減、といったものも考えられる。
【０１３１】
＜実施形態６  ユーザクラス別パスポート注文可能情報保持手段＞
「ユーザクラス別パスポート注文可能情報保持手段」は、パスポート識別情報毎のユーザクラス格付別に注文可能レストラン、消費可能メニュー及びメニューの消費可能回数であるパスポート注文可能情報を保持する、パスポート注文可能情報保持部が有する手段である。同一のユーザが購入するパスポート毎に、各パスポートに対応するユーザの格付が異なることから、ユーザが所有するパスポート識別情報毎に各パスポートに対応するユーザの格付を関連付けて、ユーザクラス格付に応じた注文可能レストラン、消費可能メニュー及びメニューの消費可能回数を保持するための手段である。
【０１３２】
＜実施形態６  ハードウェア構成＞
＜実施形態６  パスポート管理装置＞
図３２にあるように実施形態６のパスポート管理装置のハードウェア構成も不揮発性メモリに、パスポート情報保持プログラム、選択受付プログラム、ユーザ属性情報保持プログラム、ユーザクラス格付保持プログラム、ユーザ所有情報保持プログラム、パスポート注文可能情報保持プログラム、ユーザクラス別パスポート注文可能情報保持プログラム、パスポート注文可能情報送信プログラム、パスポート注文情報取得プログラム、パスポート注文可能情報更新プログラムと、が保持されており、一連のプログラムの実行命令に基づいてこれらのプログラムが実行される。なお、データとしては、典型的個人属性、パスポート識別情報、レストラン識別情報、未使用時注文可能回数、パスポート情報、選択情報、ユーザ識別情報、ユーザ属性情報、ユーザクラス格付情報、パスポート注文可能情報、利用した又は利用するレストラン識別情報、注文した又は注文する回数、更新パスポート注文可能情報、図示しない通信など各種の設定情報等が不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【０１３３】
＜実施形態６  処理の流れ＞
図３３は、実施形態６における個人属性別レストランパスポートシステムにおける最も基本的な処理の流れを示す図である。図に示すように、パスポート利用端末装置からユーザが初期パスポート選択を行いパスポートを購入する、初期パスポート選択ステップ（３３０１）と、パスポート利用端末からの初期パスポート選択の指示をパスポート管理装置が受け付ける、選択受付ステップ（３３０２）と、ユーザのレストランの利用の多さに応じてユーザを識別するユーザクラス格付情報をパスポート識別情報毎に保持するユーザクラス格付保持サブステップ（３３０３）と、パスポート管理装置にユーザ所有情報を保持するための、ユーザ所有情報記録ステップ（３３０４）と、パスポート管理装置が記録したユーザ所有情報に基づきパスポート利用端末装置がパスポート識別情報を保持する、パスポート識別情報記録ステップ（３３０５）と、パスポート管理装置が記録したユーザ所有情報記録に基づきパスポート注文可能情報を保持するための、パスポート注文可能情報記録ステップ（３３０６）と、パスポート識別情報毎のユーザクラス格付に応じてパスポート注文可能情報を保持するための、ユーザクラス別パスポート注文可能情報記録サブステップ（３３０７）と、パスポート管理装置が保持しているパスポート注文可能情報をパスポート利用端末装置に送信するための、パスポート注文可能情報送信ステップ（３３０８）と、パスポート管理装置から送信されたパスポート注文可能情報をパスポート利用端末装置が受信するための、パスポート注文可能情報受信ステップ（３３０９）と、パスポート利用端末装置が受信したパスポート注文可能情報をユーザに視認可能に表示するための、パスポート注文可能情報表示ステップ（３３１０）と、ユーザが注文に利用しようと考えているパスポートを選択するための、パスポート識別情報選択ステップ（３３１１）と、パスポート利用端末装置からレストラン端末装置に所有情報を出力するための、所有情報出力ステップ（３３１２）と、レストラン端末がパスポート利用端末装置からの所有情報出力を受信した後にパスポート注文情報を取得するための、パスポート注文情報取得ステップ（３３１３）と、レストラン端末装置から注文情報をパスポート管理装置に送信するための、注文情報送信ステップ（３３１４）と、パスポート管理装置がレストラン端末装置から送信されたパスポート注文情報を取得する、パスポート注文情報取得ステップ（３３１５）と、パスポート管理装置がレストラン端末装置から受信したパスポート注文情報を基にパスポート注文可能情報を更新する、パスポート注文可能情報更新ステップ（３３１６）と、ユーザの操作が終了したかを判断する注文終了判断ステップ（３３１７）と、ユーザの操作が終了していなかった場合に、新たにパスポートの購入を行うかを判断する追加購入判断ステップ（３３１８）と、レストラン端末装置において、ユーザの注文が終了したかを判断する、注文終了判断ステップ（３３１９）と、からなる。
【０１３４】
＜実施形態７  概要＞
本実実施形態における発明は、個人属性別レストランパスポートシステムの動作方法に関する発明である。
【０１３５】
＜実施形態７  構成の説明＞
図１３に示すように、パスポート利用端末装置からユーザが初期パスポート選択を行いパスポートを購入する、初期パスポート選択ステップ（１３０１）と、パスポート利用端末からの初期パスポート選択の指示をパスポート管理装置が受け付ける、選択受付ステップ（１３０２）と、パスポート管理装置にユーザ所有情報を保持するための、ユーザ所有情報記録ステップ（１３０３）と、パスポート管理装置が記録したユーザ所有情報に基づきパスポート利用端末装置がパスポート識別情報を保持する、パスポート識別情報記録ステップ（１３０４）と、パスポート管理装置が記録したユーザ所有情報記録に基づきパスポート注文可能情報を保持するための、パスポート注文可能情報記録ステップ（１３０５）と、パスポート管理装置が保持しているパスポート注文可能情報をパスポート利用端末装置に送信するための、パスポート注文可能情報送信ステップ（１３０６）と、パスポート管理装置から送信されたパスポート注文可能情報をパスポート利用端末装置が受信するための、パスポート注文可能情報受信ステップ（１３０７）と、パスポート利用端末装置が受信したパスポート注文可能情報をユーザに視認可能に表示するための、パスポート注文可能情報表示ステップ（１３０８）と、パスポート利用端末装置からレストラン端末装置に所有情報を出力するための、所有情報出力ステップ（１３０９）と、レストラン端末がパスポート利用端末装置からの所有情報出力を受信した後にパスポート注文情報を取得するための、パスポート注文情報取得ステップ（１３１０）と、レストラン端末装置から注文情報をパスポート管理装置に送信するための、注文情報送信ステップ（１３１１）と、パスポート管理装置がレストラン端末装置から送信されたパスポート注文情報を取得する、パスポート注文情報取得ステップ（１３１２）と、パスポート管理装置がレストラン端末装置から受信したパスポート注文情報を基にパスポート注文可能情報を更新する、パスポート注文可能情報更新ステップ（１３１３）と、を有する。各ステップの詳細な説明は、実施形態１においてすでに説明されている。
【０１３６】
＜実施形態８  概要＞
本実実施形態における発明は、個人属性別レストランパスポートシステムの動作プログラムに関する発明である。
【０１３７】
＜実施形態８  構成＞
本実施形態における動作プログラムは、図１３に示す各ステップを有するプログラムである。各ステップについての説明は、実施形態７において説明されている。
【符号の説明】
【０１３８】
０２００  個人属性別レストランパスポートシステム
０２０１  パスポート管理装置
０２０２  レストラン端末装置
０２０３  パスポート利用端末装置
【図１】
2019215882.tif 000003
【図２】
2019215882.tif 000004
【図３】
2019215882.tif 000005
【図４】
2019215882.tif 000006
【図５】
2019215882.tif 000007
【図６】
2019215882.tif 000008
【図７】
2019215882.tif 000009
【図８】
2019215882.tif 000010
【図９】
2019215882.tif 000011
【図１０】
2019215882.tif 000012
【図１１】
2019215882.tif 000013
【図１２】
2019215882.tif 000014
【図１３】
2019215882.tif 000015
【図１４】
2019215882.tif 000016
【図１５】
2019215882.tif 000017
【図１６】
2019215882.tif 000018
【図１７】
2019215882.tif 000019
【図１８】
2019215882.tif 000020
【図１９】
2019215882.tif 000021
【図２０】
2019215882.tif 000022
【図２１】
2019215882.tif 000023
【図２２】
2019215882.tif 000024
【図２３】
2019215882.tif 000025
【図２４】
2019215882.tif 000026
【図２５】
2019215882.tif 000027
【図２６】
2019215882.tif 000028
【図２７】
2019215882.tif 000029
【図２８】
2019215882.tif 000030
【図２９】
2019215882.tif 000031
【図３０】
2019215882.tif 000032
【図３１】
2019215882.tif 000033
【図３２】
2019215882.tif 000034
【図３３】
2019215882.tif 000035
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
一以上の定められたチェーンの複数のレストランで提供される所定のメニューに関して、所定のメニュー内ではいずれのメニューについても定められた回数メニューを注文可能なレストランパスポートであって、
複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、
インターネットを介して購入するパスポート識別情報の選択を受け付ける選択受付部と、
ユーザ識別情報と関連付けてユーザ属性情報を保持するユーザ属性
情報保持部と、
ユーザ識別情報と関連付けてそのユーザが購入のために選択したパスポート識別情報を保持するユーザ所有情報保持部と、
ユーザ識別情報と関連付けられているパスポート識別情報毎に現時点での注文可能回数であるパスポート注文可能情報を保持するパスポート注文可能情報保持部と、
パスポート注文可能情報を送信するパスポート注文可能情報送信部と、
ユーザ識別情報とパスポート識別情報と、利用した又は利用するレストラン識別情報、注文した又は注文する回数を含むパスポート注文情報を取得するパスポート注文情報取得部と、
取得したパスポート注文情報を用いてパスポート注文可能情報を更新するパスポート注文可能情報更新部と、
を有するパスポート管理装置と、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得部と、
取得したパスポート注文情報を送信するパスポート注文情報送信部と、
を有するレストラン端末装置と、
一以上のパスポート識別情報とユーザ識別情報とを関連付けて保持するパスポート識別情報保持部と、
利用のために保持されているパスポート識別情報の選択を受け付けるパスポート識別情報選択部と、
パスポート注文可能情報を受信するパスポート注文可能情報受信部と、
保持しているパスポート情報の一部（全部も含む）又は／及び、受信したパスポート注文可能情報を表示するパスポート注文可能情報表示部と、
これから食するために、又はすでに食したことによる処理をするために、保持しているユーザ識別情報と関連付けてパスポート識別情報を出力する所有情報出力部と、を有するパスポート利用端末装置と、
からなる個人属性別レストランパスポートシステム。
【請求項２】
ユーザがパスポートを購入のためにパスポート管理装置にてパスポートを選択する際に、そのユーザのユーザ識別情報と関連付けて保持されているユーザ属性情報と、パスポート識別情報に関連付けられている典型的個人属性と、に基づいてパスポート情報保持部の中から選択受付部にて選択を受け付け可能なパスポート識別情報を抽出するように制御するユーザ属性情報依存選択受付制御部をさらに有する請求項１に記載の個人属性別レストランパスポートシステム。
【請求項３】
パスポート管理装置は、パスポート情報の更新（新規登録を含む。以下同じ）のためにメニュー情報を受け付けるメニュー情報受付部と、
受付けたメニュー情報をパスポート情報の更新のために保持するメニュー情報保持部と、保持されているメニュー情報を利用してパスポート情報を更新するルールを保持するパスポート更新ルール保持部と、
保持されているメニュー情報と保持されているルールとに基づいてパスポート情報を更新するパスポート情報更新部と、をさらに有し、
レストラン端末装置は、
レストラン識別情報を保持するレストラン識別情報保持部と、更新のためにレストラン識別情報、メニュー識別情報及びメニュー識別情報で識別されるメニューのメニュー属性情報を関連付けた情報であるメニュー情報を取得するメニュー情報取得部と、
取得したメニュー情報を更新のために送信するメニュー情報送信部と、
をさらに有する請求項１又は請求項２に記載の個人属性別レストランパスポートシステム。
【請求項４】
典型的個人属性選択受付部は、典型的個人属性を示して選択を受け付ける典型的個人属性選択受付手段を有する請求項１又は請求項３に記載の個人属性
別レストランパスポートシステム。
【請求項５】
ユーザ属性情報保持部は、ユーザ識別情報と同一ユーザに関連付けられている複数のユーザ属性情報間のそのユーザにとっての優先度を付加したユーザ属性情報である複数の優先度付ユーザ属性情報と関連付けて保持する優先度付ユーザ属性情報保持手段を有し、
パスポート情報保持部は、パスポート情報として、典型的個人属性が、他の典型的個人属性と比較した場合の優先度を付加した典型的個人属性である優先度付典型的個人属性であるパスポート情報を保持する優先度付パスポート情報保持手段を有し、
ユーザ属性情報依存選択受付制御部は、優先度付ユーザ属性情報と優先度付きパスポート情報とに基づいて選択受付可能な優先度付パスポート識別情報を抽出するように制御する優先度付ユーザ属性情報依存選択受付制御手段
を有する請求項２又は請求項２に従属する請求項３又は請求項２に従属する請求項４に記載の個人属性別レストランパスポートシステム。
【請求項６】
ユーザ属性情報保持部は、ユーザ属性情報として、ユーザのパスポートを介したレストランの利用の多さ等に応じてユーザを識別するユーザクラス格付情報をパスポート識別情報毎に保持するユーザクラス格付保持手段を有し、パスポート注文可能情報保持部は、パスポート識別情報毎のユーザクラス格付け別に注文可能レストラン、消費可能メニュー及びメニューの消費可能回数であるパスポート注文可能情報を保持するユーザクラス別パスポート注文可能情報保持手段を有する、請求項１から請求項５のいずれか一に記載の個人属性別レストランパスポートシステム。
【請求項７】
一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、
ユーザ識別情報と関連付けてユーザ属性情報を保持するユーザ属性
情報保持部と、
ユーザ識別情報と関連付けてそのユーザが購入のために選択したパスポート識別情報を保持するユーザ所有情報保持部と、
ユーザ識別情報と関連付けられているパスポート識別情報毎に現時点での注文可能回数であるパスポート注文可能情報を保持するパスポート注文可能情報保持部と、
を有するパスポート管理装置と、
レストラン端末装置と、
一以上のパスポート識別情報とユーザ識別情報とを関連付けて保持するパスポート識別情報保持部と、
を有するパスポート利用端末装置、
とからなる個人属性別レストランパスポートシステムの動作方法であって、
前記パスポート管理装置は、
インターネットを介して購入するパスポート識別情報の選択を受け付ける選択受付ステップと、
パスポート注文可能情報を送信するパスポート注文可能情報送信ステップと、
ユーザ識別情報とパスポート識別情報と、利用した又は利用するレストラン識別情報、注文した又は注文する回数を含むパスポート注文情報を取得するパスポート注文情報取得ステップと、
取得したパスポート注文情報を用いてパスポート注文可能情報を更新するパスポート注文可能情報更新ステップと、
を実行し、
前記レストラン端末装置は、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、
取得したパスポート注文情報を送信するパスポート注文情報送信ステップと、
を実行し、
前記パスポート利用端末装置は、
利用のために保持されているパスポート識別情報の選択を受け付けるパスポート識別情報選択ステップと、
パスポート注文可能情報を受信するパスポート注文可能情報受信ステップと、
保持しているパスポート情報の一部（全部も含む）又は／及び、受信したパスポート注文可能情報を表示するパスポート注文可能情報表示ステップと、
これから食するために、又はすでに食したことによる処理をするために、保持しているユーザ識別情報と関連付けてパスポート識別情報を出力する所有情報出力ステップと、
を実行する、
個人属性別レストランパスポートシステムの動作方法。
【請求項８】
一以上の定められたチェーンの複数のレストランで提供される所定のメニューに関して、所定のメニュー内ではいずれのメニューについても定められた回数メニューを注文可能なレストランパスポートであって、複数の典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、
ユーザ識別情報と関連付けてユーザ属性情報を保持するユーザ属性
情報保持部と、
ユーザ識別情報と関連付けてそのユーザが購入のために選択したパスポート識別情報を保持するユーザ所有情報保持部と、
ユーザ識別情報と関連付けられているパスポート識別情報毎に現時点での注文可能回数であるパスポート注文可能情報を保持するパスポート注文可能情報保持部と、
を有するパスポート管理装置と、
レストラン端末装置と、
一以上のパスポート識別情報とユーザ識別情報とを関連付けて保持するパスポート識別情報保持部と、
を有するパスポート利用端末装置、
とからなる個人属性別レストランパスポートシステムの動作プログラムであって、
前記パスポート管理装置は、
インターネットを介して購入するパスポート識別情報の選択を受け付ける選択受付ステップと、
パスポート注文可能情報を送信するパスポート注文可能情報送信ステップと、
ユーザ識別情報とパスポート識別情報と、利用した又は利用するレストラン識別情報、注文した又は注文する回数を含むパスポート注文情報を取得するパスポート注文情報取得ステップと、
取得したパスポート注文情報を用いてパスポート注文可能情報を更新するパスポート注文可能情報更新ステップと、
を実行し、
前記レストラン端末装置は、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、
取得したパスポート注文情報を送信するパスポート注文情報送信ステップと、
を実行し、
前記パスポート利用端末装置は、
利用のために保持されているパスポート識別情報の選択を受け付けるパスポート識別情報選択ステップと、
パスポート注文可能情報を受信するパスポート注文可能情報受信ステップと、
保持しているパスポート情報の一部（全部も含む）又は／及び、受信したパスポート注文可能情報を表示するパスポート注文可能情報表示ステップと、
これから食するために、又はすでに食したことによる処理をするために、保持しているユーザ識別情報と関連付けてパスポート識別情報を出力する所有情報出力ステップと、
を実行する、
個人属性別レストランパスポートシステムの動作プログラム。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
一以上の定められたチェーンの複数のレストランで提供される所定のメニューに関して、所定のメニュー内ではいずれのメニューについても定められた回数メニューを注文可能なレストランパスポートであって、
複数の後記ユーザ属性情報と重なるか、又はその上位概念となる関係にある情報である典型的個人属性ごとに関連付けられた各レストランパスポートを識別するパスポート識別情報、一以上のレストラン識別情報、未使用時注文可能回数、を関連付けた情報であるパスポート情報を保持するパスポート情報保持部と、
インターネットを介して購入するパスポート識別情報の選択を受け付ける選択受付部と、
ユーザ識別情報と関連付けて前記典型的個人属性と重なるか又はその下位概念となる関係にある情報であるユーザ属性情報を保持するユーザ属性情報保持部と、
ユーザ識別情報と関連付けてそのユーザが購入のために選択したパスポート識別情報を保持するユーザ所有情報保持部と、
ユーザ識別情報と関連付けられているパスポート識別情報毎に現時点での注文可能回数であるパスポート注文可能情報を保持するパスポート注文可能情報保持部と、
パスポート注文可能情報を送信するパスポート注文可能情報送信部と、
ユーザ識別情報とパスポート識別情報と、利用した又は利用するレストラン識別情報、注文した又は注文する回数を含むパスポート注文情報を取得するパスポート注文情報取得部と、
取得したパスポート注文情報を用いてパスポート注文可能情報を更新するパスポート注文可能情報更新部とを有し、
ユーザがパスポートを購入のためにパスポート管理装置にてパスポートを選択する際に、そのユーザのユーザ識別情報と関連付けて保持されているユーザ属性情報と、パスポート識別情報に関連付けられている典型的個人属性と、に基づいてパスポート情報保持部の中から選択受付部にて選択を受け付け可能なパスポート識別情報を抽出するように制御するユーザ属性情報依存選択受付制御部と、
をさらに有するパスポート管理装置と、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得部と、
取得したパスポート注文情報を送信するパスポート注文情報送信部と、
を有するレストラン端末装置と、
一以上のパスポート識別情報とユーザ識別情報とを関連付けて保持するパスポート識別情報保持部と、
利用のために保持されているパスポート識別情報の選択を受け付けるパスポート識別情報選択部と、
パスポート注文可能情報を受信するパスポート注文可能情報受信部と、
保持しているパスポート情報の一部（全部も含む）又は／及び、受信したパスポート注文可能情報を表示するパスポート注文可能情報表示部と、
これから食するために、又はすでに食したことによる処理をするために、保持しているユーザ識別情報と関連付けてパスポート識別情報を出力する所有情報出力部と、を有するパスポート利用端末装置と、
からなる個人属性別レストランパスポートシステム。
【請求項２】
パスポート管理装置は、パスポート情報の更新（新規登録を含む。以下同じ）のためにメニュー情報を受け付けるメニュー情報受付部と、
受付けたメニュー情報をパスポート情報の更新のために保持するメニュー情報保持部と、保持されているメニュー情報を利用してパスポート情報を更新するルールを保持するパスポート更新ルール保持部と、
保持されているメニュー情報と保持されているルールとに基づいてパスポート情報を更新するパスポート情報更新部と、をさらに有し、
レストラン端末装置は、
レストラン識別情報を保持するレストラン識別情報保持部と、更新のためにレストラン識別情報、メニュー識別情報及びメニュー識別情報で識別されるメニューのメニュー属性情報を関連付けた情報であるメニュー情報を取得するメニュー情報取得部と、
取得したメニュー情報を更新のために送信するメニュー情報送信部と、
をさらに有する請求項１に記載の個人属性別レストランパスポートシステム。
【請求項３】
典型的個人属性選択受付部は、典型的個人属性を示して選択を受け付ける典型的個人属性選択受付手段を有する請求項１又は請求項２に記載の個人属性
別レストランパスポートシステム。
【請求項４】
ユーザ属性情報保持部は、ユーザ識別情報と同一ユーザに関連付けられている複数のユーザ属性情報間のそのユーザにとっての優先度を付加したユーザ属性情報である複数の優先度付ユーザ属性情報と関連付けて保持する優先度付ユーザ属性情報保持手段を有し、
パスポート情報保持部は、パスポート情報として、典型的個人属性が、他の典型的個人属性と比較した場合の優先度を付加した典型的個人属性である優先度付典型的個人属性であるパスポート情報を保持する優先度付パスポート情報保持手段を有し、
ユーザ属性情報依存選択受付制御部は、優先度付ユーザ属性情報と優先度付きパスポート情報とに基づいて選択受付可能な優先度付パスポート識別情報を抽出するように制御する優先度付ユーザ属性情報依存選択受付制御手段
を有する請求項１、請求項２又は請求項１に従属する請求項３に記載の個人属性別レストランパスポートシステム。
【請求項５】
ユーザ属性情報保持部は、ユーザ属性情報として、ユーザのパスポートを介したレストランの利用の多さ等に応じてユーザを識別するユーザクラス格付情報をパスポート識別情報毎に保持するユーザクラス格付保持手段を有し、パスポート注文可能情報保持部は、パスポート識別情報毎のユーザクラス格付け別に注文可能レストラン、消費可能メニュー及びメニューの消費可能回数であるパスポート注文可能情報を保持するユーザクラス別パスポート注文可能情報保持手段を有する、請求項１から請求項４のいずれか一に記載の個人属性別レストランパスポートシステム。
【請求項６】
一以上の定められたチェーンの複数のレストランで提供される所定のメニューに関して、所定のメニュー内ではいずれのメニューについても定められた回数メニューを注文可能な計算機であるパスポート管理装置と、計算機であるレストラン端末装置と、計算機であるパスポート利用端末装置と、からなるレストランパスポートシステムの動作方法であって、
前記パスポート管理装置は、
複数の後記ユーザ属性情報と重なるか、又はその上位概念となる関係にある情報である典型的個人属性ごとに関連付けられた各レストランパスポートを識別するパスポート識別情報、一以上のレストラン識別情報、未使用時注文可能回数、を関連付けた情報であるパスポート情報を記録するパスポート情報記録ステップと、
ユーザがパスポートを購入のためにパスポートを選択する際に、そのユーザのユーザ識別情報と関連付けられているユーザ属性情報と、パスポート識別情報に関連付けられている典型的個人属性と、に基づいて保持されているパスポート情報の中から選択受付ステップにて選択を受け付け可能なパスポート識別情報を抽出するように制御するユーザ属性情報依存選択受付制御ステップと、
インターネットを介して購入するパスポート識別情報の選択を受け付ける選択受付ステップと、
ユーザ識別情報と関連付けて前記典型的個人属性と重なるか又はその下位概念となる関係にある情報であるユーザ属性情報を記録するユーザ属性情報記録ステップと、
ユーザ識別情報と関連付けてそのユーザが購入のために選択したパスポート識別情報を記録するユーザ所有情報記録ステップと、
ユーザ識別情報と関連付けられているパスポート識別情報毎に現時点での注文可能回数であるパスポート注文可能情報を記録するパスポート注文可能情報記録ステップと、
パスポート注文可能情報を送信するパスポート注文可能情報送信ステップと、
ユーザ識別情報とパスポート識別情報と、利用した又は利用するレストラン識別情報、注文した又は注文する回数を含むパスポート注文情報を取得するパスポート注文情報取得ステップと、
取得したパスポート注文情報を用いてパスポート注文可能情報を更新するパスポート注文可能情報更新ステップとを実行し
前記レストラン端末装置は、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、
取得したパスポート注文情報を送信するパスポート注文情報送信ステップと、
を実行し、
前記パスポート利用端末装置は、
一以上のパスポート識別情報とユーザ識別情報とを関連付けて記録するパスポート識別情報記録ステップと、
利用のために保持されているパスポート識別情報の選択を受け付けるパスポート識別情報選択ステップと、
パスポート注文可能情報を受信するパスポート注文可能情報受信ステップと、
保持しているパスポート情報の一部（全部も含む）又は／及び、受信したパスポート注文可能情報を表示するパスポート注文可能情報表示ステップと、
これから食するために、又はすでに食したことによる処理をするために、保持しているユーザ識別情報と関連付けてパスポート識別情報を出力する所有情報出力ステップと、を有する計算機であるパスポート利用端末装置の動作方法と、を実行する個人属性別レストランパスポートシステムの動作方法。
【請求項７】
一以上の定められたチェーンの複数のレストランで提供される所定のメニューに関して、所定のメニュー内ではいずれのメニューについても定められた回数メニューを注文可能な計算機であるパスポート管理装置と、計算機であるレストラン端末装置と、計算機であるパスポート利用端末装置と、からなるレストランパスポートシステムに読取り実行可能なレストランパスポートシステムの動作プログラムであって、
前記パスポート管理装置の動作プログラムは、
複数の後記ユーザ属性情報と重なるか、又はその上位概念となる関係にある情報である典型的個人属性ごとに関連付けられた各レストランパスポートを識別するパスポート識別情報、一以上のレストラン識別情報、未使用時注文可能回数、を関連付けた情報であるパスポート情報を記録するパスポート情報記録ステップと、
ユーザがパスポートを購入のためにパスポートを選択する際に、そのユーザのユーザ識別情報と関連付けられているユーザ属性情報と、パスポート識別情報に関連付けられている典型的個人属性と、に基づいて保持されているパスポート情報の中から選択受付ステップにて選択を受け付け可能なパスポート識別情報を抽出するように制御するユーザ属性情報依存選択受付制御ステップと、
インターネットを介して購入するパスポート識別情報の選択を受け付ける選択受付ステップと、
ユーザ識別情報と関連付けて前記典型的個人属性と重なるか又はその下位概念となる関係にある情報であるユーザ属性情報を記録するユーザ属性情報記録ステップと、
ユーザ識別情報と関連付けてそのユーザが購入のために選択したパスポート識別情報を記録するユーザ所有情報記録ステップと、
ユーザ識別情報と関連付けられているパスポート識別情報毎に現時点での注文可能回数であるパスポート注文可能情報を記録するパスポート注文可能情報記録ステップと、
パスポート注文可能情報を送信するパスポート注文可能情報送信ステップと、
ユーザ識別情報とパスポート識別情報と、利用した又は利用するレストラン識別情報、注文した又は注文する回数を含むパスポート注文情報を取得するパスポート注文情報取得ステップと、
取得したパスポート注文情報を用いてパスポート注文可能情報を更新するパスポート注文可能情報更新ステップとからなり、
前記レストラン端末装置の動作プログラムは、
一のレストラン内にてこれから食する情報として、又はすでに食した情報として、「ユーザ識別情報と、パスポート識別情報と、レストラン識別情報と、注文回数と」、を関連付けた情報であるパスポート注文情報を取得するパスポート注文情報取得ステップと、
取得したパスポート注文情報を送信するパスポート注文情報送信ステップと、
から構成され、
前記パスポート利用端末装置の動作プログラムは、
一以上のパスポート識別情報とユーザ識別情報とを関連付けて記録するパスポート識別情報記録ステップと、
利用のために保持されているパスポート識別情報の選択を受け付けるパスポート識別情報選択ステップと、
パスポート注文可能情報を受信するパスポート注文可能情報受信ステップと、
保持しているパスポート情報の一部（全部も含む）又は／及び、受信したパスポート注文可能情報を表示するパスポート注文可能情報表示ステップと、
これから食するために、又はすでに食したことによる処理をするために、保持しているユーザ識別情報と関連付けてパスポート識別情報を出力する所有情報出力ステップとから構成される、個人属性別レストランパスポートシステムの動作プログラム。
【国際調査報告】
2019215882.tif 000036
2019215882.tif 000037